(57)【要約】【課題】ストラップの取り外しを容易に行う。【解決手段】アタッチメントは、コントローラ側操作ボタンが設けられるコントローラ側スライド部を有するゲームコントローラに装着可能である。アタッチメントは、ストラップと、アタッチメント側スライド部とを有する。アタッチメント側スライド部は、アタッチメントの第１面に設けられ、コントローラ側スライド部に対して所定のスライド方向にスライド可能に係合することが可能である。アタッチメント側スライド部は、当該スライド方向の一方側と他方側とのうちの一方側からコントローラ側スライド部を挿入可能である。【選択図】図１
2018099520.tif 000002
【特許請求の範囲】
【請求項１】
コントローラ側スライド部を有するゲームコントローラに取り付け可能なアタッチメントであって、
前記アタッチメントの第１面に設けられ、前記コントローラ側スライド部に対して所定のスライド方向にスライド可能に係合することが可能であって、当該スライド方向の一方側と他方側とのうちの一方側から前記コントローラ側スライド部を挿入可能なアタッチメント側スライド部と、
前記アタッチメント側スライド部の中央より前記一方側に設けられ、前記アタッチメント側スライド部に前記コントローラ側スライド部が挿入されることにより前記ゲームコントローラが前記アタッチメントに装着された状態において、当該挿入の方向とは逆の抜去方向へのスライド移動を係止する係止部と、
前記アタッチメントのうちで、当該アタッチメントの中央よりも、前記スライド方向の前記他方側と同じ側の部分にストラップを取り付け可能なストラップ取り付け部とを備える、アタッチメント。
【請求項２】
前記アタッチメントは、孔が形成されたハウジングをさらに備え、
前記ストラップ取り付け部は、前記ハウジングの内部に設けられる軸部であり、
前記軸部に取り付けられ、前記孔から前記ハウジングの外部に延びるストラップをさらに備える、請求項１に記載のアタッチメント。
【請求項３】
前記係止部は、前記アタッチメント側スライド部における前記一方側の端部に設けられる、請求項１または請求項２に記載のアタッチメント。
【請求項４】
前記係止部は、前記アタッチメントが装着された状態の前記ゲームコントローラの前記コントローラ側スライド部の端部に係止する、請求項１から請求項３のいずれか１項に記載のアタッチメント。
【請求項５】
前記係止部は、前記スライド方向とは異なる方向に、第１位置と第２位置との間で移動可能であり、
前記第１位置にある前記係止部は、前記スライド方向に沿った所定面から、当該係止部が前記第２位置にある状態よりも突出することによって、前記アタッチメントが装着された状態の前記ゲームコントローラに引っ掛かることが可能である、請求項１から請求項４のいずれか１項に記載のアタッチメント。
【請求項６】
前記係止部は、前記スライド方向とは異なる方向に、第１位置と第２位置との間で移動可能であり、
前記第１位置は、前記アタッチメント側スライド部の前記一方側における挿入口の少なくとも一部を前記係止部が塞ぐ位置であり、
前記第２位置は、前記アタッチメント側スライド部の前記一方側における挿入口が前記係止部によって開放される位置である、請求項１から請求項５のいずれか１項に記載のアタッチメント。
【請求項７】
前記係止部は、前記スライド方向に対して実質的に垂直な方向に移動可能である、請求項５または請求項６に記載のアタッチメント。
【請求項８】
前記第２位置から第１位置への方向へ前記係止部を付勢する付勢部をさらに備える、請求項５から請求項７のいずれか１項に記載のアタッチメント。
【請求項９】
前記係止部は、前記一方側の端部において、当該一方側に向かうにつれて前記第１位置から第２位置への方向に傾斜する斜面を有する、請求項５から請求項８のいずれか１項に記載のアタッチメント。
【請求項１０】
前記係止部は、前記一方側の端部に突起を有する、請求項１から請求項９のいずれか１項に記載のアタッチメント。
【請求項１１】
前記第１面から、当該第１面に対して離れる方向へ延びる底面を有する底面部と、
前記底面に設けられる弾性部材とをさらに備える、請求項１から請求項１０のいずれか１項に記載のアタッチメント。
【請求項１２】
前記弾性部材は、前記底面において、当該底面の中央より前記アタッチメント側スライド部の反対側に設けられる、請求項１１に記載のアタッチメント。
【請求項１３】
前記ゲームコントローラは、
前記アタッチメントが装着された状態において前記底面に対向する裏面と、
前記裏面の反対側の面である主面と、
前記主面のうちの所定領域に設けられる１以上の操作部とを有し、
前記弾性部材は、前記アタッチメントが装着された前記ゲームコントローラの前記裏面において前記所定領域に対応する領域に対向する位置に設けられる、請求項１１または請求項１２に記載のアタッチメント。
【請求項１４】
前記アタッチメント側スライド部において中央よりも前記他方側に、前記第１面を向く面が露出するように設けられ、前記アタッチメントが装着された前記ゲームコントローラの端子と電気的に接続される端子部をさらに備える、請求項１から請求項１３のいずれか１項に記載のアタッチメント。
【請求項１５】
前記ゲームコントローラと電気的に接続可能な端子と、
前記端子を介して前記ゲームコントローラへ電力を供給するための電池とを備える、請求項１から請求項１３のいずれか１項に記載のアタッチメント。
【請求項１６】
前記アタッチメント側スライド部は、前記スライド方向に沿って設けられるレール部材である、請求項１から請求項１５のいずれか１項に記載のアタッチメント。
【請求項１７】
前記アタッチメント側スライド部は、金属で構成される、請求項１から請求項１６のいずれか１項に記載のアタッチメント。
【請求項１８】
前記コントローラ側スライド部には、コントローラ側第１操作ボタンが設けられ、
前記アタッチメントは、前記第１面の裏側の第２面から突出可能なアタッチメント側第１操作ボタンを備え、
前記アタッチメント側第１操作ボタンは、当該アタッチメント側第１操作ボタンに対する押下操作に応じて前記第１面から突出する方向に移動可能であり、前記コントローラ側第１操作ボタンを押下可能な第１突出部を有する、請求項１から請求項１７のいずれか１項に記載のアタッチメント。
【請求項１９】
前記アタッチメント側第１操作ボタンの操作面の面積は、前記コントローラ側第１操作ボタンの面積よりも大きい、請求項１８に記載のアタッチメント。
【請求項２０】
前記第１突出部の先端は曲面形状を有する、請求項１８または請求項１９に記載のアタッチメント。
【請求項２１】
前記第１突出部は、突出方向に垂直な断面形状が十字形状である、請求項１８から請求項２０のいずれか１項に記載のアタッチメント。
【請求項２２】
前記スライド方向における前記第２面の両側の端部は、丸みを帯びた曲面で形成される、請求項１８から請求項２１のいずれか１項に記載のアタッチメント。
【請求項２３】
前記アタッチメント側スライド部の底面に入射口が設けられ、
前記アタッチメント側スライド部の底面とは異なる、前記アタッチメントの他の面に出射口が設けられ、
前記入射口に対して入射された光を前記出射口まで導光する導光部を有する、請求項１８から請求項２２のいずれか１項に記載のアタッチメント。
【請求項２４】
前記出射口は前記第２面に設けられる、請求項２３に記載のアタッチメント。
【請求項２５】
前記コントローラ側スライド部には、コントローラ側第２操作ボタンがさらに設けられ、
前記アタッチメントは、前記第２面から突出可能なアタッチメント側第２操作ボタンを備え、
前記アタッチメント側第２操作ボタンは、当該アタッチメント側第２操作ボタンに対する押下操作に応じて前記第１面から突出する方向に移動可能であり、前記コントローラ側第２操作ボタンを押下可能な第２突出部を有し、
前記出射口は、前記第２面において、前記アタッチメント側第１操作ボタンと前記アタッチメント側第２操作ボタンとの間に設けられる、請求項２３または請求項２４に記載のアタッチメント。
【請求項２６】
ゲームコントローラと、当該ゲームコントローラに装着可能なアタッチメントとを含む操作システムであって、
前記ゲームコントローラは、
コントローラ側スライド部と、
前記コントローラ側スライド部に設けられるコントローラ側操作ボタンとを備え、
前記アタッチメントは、
前記アタッチメントの第１面に設けられ、前記コントローラ側スライド部に対して所定のスライド方向にスライド可能に係合することが可能であって、当該スライド方向の一方側と他方側とのうちの一方側から前記コントローラ側スライド部を挿入可能なアタッチメント側スライド部と、
前記アタッチメント側スライド部の中央より前記一方側に設けられ、前記アタッチメント側スライド部に前記コントローラ側スライド部が挿入されることにより前記ゲームコントローラが前記アタッチメントに装着された状態において、当該挿入の方向とは逆の抜去方向へのスライド移動を係止する係止部と、
前記アタッチメントのうちで、当該アタッチメントの中央よりも、前記スライド方向の前記他方側と同じ側の部分にストラップを取り付け可能なストラップ取り付け部とを備える、操作システム。
【発明の詳細な説明】
【技術分野】
【０００１】
本発明は、コントローラに装着可能なアタッチメントに関する。
【背景技術】
【０００２】
従来、コントローラに装着して使用するアタッチメントがある。このようなアタッチメントをコントローラに装着して使用する場合において、コントローラ（またはアタッチメント）にストラップを取り付けることがある（例えば、特許文献１参照）。
【先行技術文献】
【特許文献】
【０００３】
【特許文献１】特開２０１０−２０７４２号公報
【発明の概要】
【発明が解決しようとする課題】
【０００４】
コントローラに対してストラップを取り付ける場合において、ストラップの取り外しを容易にすることが望まれる。
【０００５】
それ故、本発明の目的は、ストラップの取り外しを容易に行うことができるアタッチメントおよび操作システムを提供することである。
【課題を解決するための手段】
【０００６】
上記の課題を解決すべく、本発明は、以下の（１）〜（２６）の構成を採用した。
【０００７】
（１）
本発明の一例は、コントローラ側第１操作ボタンが設けられるコントローラ側スライド部を有するゲームコントローラに装着可能なアタッチメントである。
アタッチメントは、ストラップと、アタッチメント側スライド部と、係止部と、アタッチメント側第１操作ボタンと、を備える。アタッチメント側スライド部は、アタッチメントの第１面に設けられ、コントローラ側スライド部に対して所定のスライド方向にスライド可能に係合することが可能であって、当該スライド方向の一方側と他方側とのうちの一方側からコントローラ側スライド部を挿入可能である。係止部は、アタッチメント側スライド部の中央より一方側に設けられ、アタッチメント側スライド部にコントローラ側スライド部が挿入されることによりゲームコントローラがアタッチメントに装着された状態において、当該挿入の方向とは逆の抜去方向へのスライド移動を係止する。
アタッチメント側第１操作ボタンは、第１面の裏側の第２面から突出可能である。アタッチメント側第１操作ボタンは、第１突出部を有する。第１突出部は、当該アタッチメント側第１操作ボタンに対する押下操作に応じて第１面から突出する方向に移動可能であり、コントローラ側第１操作ボタンを押下可能である。
【０００８】
上記（１）の構成によれば、アタッチメントのスライド部と、ゲームコントローラのスライド部とを係合させることによって、ユーザは、ゲームコントローラに対する（ストラップを備える）アタッチメントの取り外しを容易に行うことができる。つまり、上記によれば、ゲームコントローラに対するストラップの取り外しを容易に行うことができる。
【０００９】
（２）
アタッチメントは、アタッチメントのうちで、当該アタッチメントの中央よりも、スライド方向の他方側と同じ側の部分に、ストラップを取り付けるためのストラップ取り付け部を有していてもよい。
【００１０】
上記（２）の構成によれば、ユーザは、ストラップを例えば手首に巻いてゲームコントローラ（すなわち、アタッチメントが装着されたゲームコントローラ）を把持する際に、係止部を容易に操作することができる。これによって、ユーザは、ゲームコントローラに対するストラップの取り外しをより容易に行うことができる。
【００１１】
（３）
係止部は、アタッチメント側スライド部における一方側の端部に設けられてもよい。
【００１２】
上記（３）の構成によれば、アタッチメントがゲームコントローラから外れることを効果的に抑制することができる。
【００１３】
（４）
係止部は、アタッチメントが装着された状態のゲームコントローラのコントローラ側スライド部の端部に係止してもよい。
【００１４】
上記（４）の構成によれば、アタッチメントがゲームコントローラから外れることを効果的に抑制することができる。
【００１５】
（５）
係止部は、スライド方向とは異なる方向に、第１位置と第２位置との間で移動可能であってもよい。第１位置にある係止部は、スライド方向に沿った所定面から、当該係止部が第２位置にある状態よりも突出することによって、アタッチメントが装着された状態のゲームコントローラに引っ掛かることが可能であってもよい。
【００１６】
上記（５）の構成によれば、係止部は、第１位置となることによってゲームコントローラを係止する状態と、第２位置となることによってゲームコントローラを係止しない（または、ほとんど係止しない）状態とを取ることが可能である。これによれば、ユーザは、係止部を第２位置に移動させることで、ゲームコントローラの係止を解除することができ、ゲームコントローラに対するストラップの取り外しを容易に行うことができる。
【００１７】
（６）
係止部は、スライド方向とは異なる方向に、第１位置と第２位置との間で移動可能であってもよい。第１位置は、アタッチメント側スライド部の一方側における挿入口の少なくとも一部を係止部が塞ぐ位置であってもよい。第２位置は、アタッチメント側スライド部の一方側における挿入口が係止部によって開放される位置であってもよい。
【００１８】
上記（６）の構成によれば、上記（５）の構成と同様、係止部は、第１位置となることによってゲームコントローラを係止する状態と、第２位置となることによってゲームコントローラを係止しない（または、ほとんど係止しない）状態とを取ることが可能である。これによれば、ユーザは、係止部を第２位置に移動させることで、ゲームコントローラの係止を解除することができ、ゲームコントローラに対するストラップの取り外しを容易に行うことができる。
【００１９】
（７）
係止部は、スライド方向に対して実質的に垂直な方向に移動可能であってもよい。
【００２０】
なお、本明細書において、「実質的に（ある状態となる）」とは、厳密にその状態となる場合と、概ねその状態となる場合との両方を含む意味である。例えば、「実質的に垂直」とは、厳密に垂直となる状態であってもよいし、厳密には垂直でなくても概ね垂直となる状態であってもよいことを意味する。
【００２１】
上記（７）の構成によれば、ゲームコントローラがスライド方向（より具体的には、ストラップから外れる方向）へ移動しようとする力が加えられたとしても、その力によって係止部が第１位置から第２位置へ移動する可能性を低減することができる。すなわち、アタッチメントをゲームコントローラから取り外そうとする力が加えられたとしても、ゲームコントローラからアタッチメントが外れる可能性を低減することができる。
【００２２】
（８）
アタッチメントは、第２位置から第１位置への方向へ係止部を付勢する付勢部をさらに備えていてもよい。
【００２３】
上記（８）の構成によれば、アタッチメントがゲームコントローラに装着された状態において、係止部は、（例えば、ユーザが係止部を押さえていなくても）ゲームコントローラを係止する状態を維持することができる。
【００２４】
（９）
係止部は、一方側の端部において、当該一方側に向かうにつれて第１位置から第２位置への方向に傾斜する斜面を有してもよい。
【００２５】
上記（９）の構成によれば、ユーザは、斜面を第２位置の側（または、他方側）へ押すように力を加えることによって、係止部を第２位置へと容易に移動させることができる。
【００２６】
（１０）
係止部は、一方側の端部に突起を有していてもよい。
【００２７】
上記（１０）の構成によれば、ユーザは、突起に指や爪を引っ掛けることによって、係止部を操作しやすくなる。
【００２８】
（１１）
アタッチメントは、底面部と、弾性部材とをさらに備えていてもよい。底面部は、第１面から、当該第１面に対して離れる方向へ延びる底面を有する。弾性部材は、底面に設けられる。
【００２９】
上記（１１）の構成によれば、アタッチメントが装着された場合にゲームコントローラは弾性部材に接触するので、弾性部材によって、ゲームコントローラとアタッチメントとのがたつきを低減することができる。また、アタッチメントをゲームコントローラに装着したり取り外したりする際にアタッチメントの底面がゲームコントローラを傷つける可能性を低減することができる。
【００３０】
（１２）
弾性部材は、底面において、当該底面の中央よりアタッチメント側スライド部の反対側に設けられてもよい。
【００３１】
上記（１２）の構成によれば、ゲームコントローラと接続されるアタッチメント側スライド部の反対側において、弾性部材によって底面とゲームコントローラとの接触が抑止される。これによって、底面がゲームコントローラを傷つける可能性をより低減することができる。
【００３２】
（１３）
ゲームコントローラは、裏面と、主面と、１以上の操作部とを有していてもよい。裏面は、アタッチメントが装着された状態において底面に対向する。主面は、裏面の反対側の面である。操作部は、主面のうちの所定領域に設けられる。弾性部材は、アタッチメントが装着されたゲームコントローラの裏面において所定領域に対応する領域に対向する位置に設けられてもよい。
【００３３】
上記（１３）の構成によれば、ゲームコントローラの主面のうちで、ユーザによって力が加えられやすいと想定される領域に対応する位置に、弾性部材を配置することができる。これによって、ゲームコントローラの裏面がアタッチメントの底面と接触することを効果的に抑制することができる。
【００３４】
（１４）
アタッチメントは、アタッチメント側スライド部において中央よりも他方側に、第１面を向く面が露出するように設けられ、アタッチメントが装着されたゲームコントローラの端子と電気的に接続される端子部をさらに備えていてもよい。
【００３５】
上記（１４）の構成によれば、ゲームコントローラとアタッチメントとを電気的に接続することができるとともに、端子がユーザの手や他の物体に接触する可能性を低減することができる。
【００３６】
（１５）
アタッチメントは、端子と、端子を介してゲームコントローラへ電力を供給するための電池とを備えていてもよい。端子は、ゲームコントローラと電気的に接続可能である。
【００３７】
上記（１５）の構成によれば、アタッチメントは、自身が装着されるゲームコントローラに対して電力を供給することができる。
【００３８】
（１６）
アタッチメント側スライド部は、スライド方向に沿って設けられるレール部材であってもよい。
【００３９】
上記（１６）の構成によれば、アタッチメントのレール部材にコントローラ側スライド部材（例えば、後述するスライダ）を挿入した際に、アタッチメントのスライド移動（ゲームコントローラのスライド移動とも言える）を容易に行うことができる。
【００４０】
（１７）
アタッチメント側スライド部は、金属で構成されてもよい。
【００４１】
上記（１７）の構成によれば、アタッチメント側スライド部の強度を向上することができる。また、アタッチメント側スライド部が設けられるアタッチメント自体の強度も向上することができる。
【００４２】
（１８）
アタッチメント側第１操作ボタンの操作面の面積は、コントローラ側第１操作ボタンの面積よりも大きくてもよい。
【００４３】
上記（１８）の構成によれば、アタッチメントをゲームコントローラに装着することによって、ゲームコントローラの操作性を向上することができる。
【００４４】
（１９）
第１突出部の先端は曲面形状を有していてもよい。
【００４５】
上記（１９）の構成によれば、ゲームコントローラのボタンが第１突出部によって傷つけられる可能性を低減することができる。
【００４６】
（２０）
第１突出部は、突出方向に垂直な断面形状が十字形状であってもよい。
【００４７】
上記（２０）の構成によれば、突出部の体積を抑えつつ強度を維持することができる。
【００４８】
（２１）
スライド方向における第２面の両側の端部は、丸みを帯びた曲面で形成されてもよい。
【００４９】
上記（２１）の構成によれば、ユーザが把持しやすい装置を提供することができる。
【００５０】
（２２）
アタッチメント側スライド部の底面に入射口が設けられてもよい。アタッチメント側スライド部の底面とは異なる、アタッチメントの他の面に出射口が設けられてもよい。アタッチメントは、入射口に対して入射された光を出射口まで導光する導光部を有していてもよい。
【００５１】
上記（２２）の構成によれば、ゲームコントローラにアタッチメントが装着された状態でも、装着されていない状態と同様に、当該ゲームコントローラが備える発光部（例えば、後述する通知用ＬＥＤ）による光をユーザに提示することができる。
【００５２】
（２３）
出射口は第２面に設けられてもよい。
【００５３】
上記（２３）の構成によれば、ゲームコントローラに装着されたアタッチメントの出射口の向きが、ゲームコントローラの発光部の向きと同じになるので、出射口からの光をユーザに見やすく提示することができる。
【００５４】
（２４）
コントローラ側スライド部には、コントローラ側第２操作ボタンがさらに設けられてもよい。アタッチメントは、第２面から突出可能なアタッチメント側第２操作ボタンを備えてもよい。アタッチメント側第２操作ボタンは、当該アタッチメント側第２操作ボタンに対する押下操作に応じて第１面から突出可能であり、コントローラ側第２操作ボタンを押下可能な第２突出部を有してもよい。出射口は、第２面において、アタッチメント側第１操作ボタンとアタッチメント側第２操作ボタンとの間に設けられてもよい。
【００５５】
上記（２４）の構成によれば、ユーザが各操作ボタンを操作するときでも、出射口からの光がユーザにとって見やすくなる。
【００５６】
（２５）
本発明の他の一例は、コントローラ側スライド部を有するゲームコントローラに取り付け可能なアタッチメントである。
アタッチメントは、アタッチメント側スライド部と、係止部と、ストラップ取り付け部とを備える。アタッチメント側スライド部は、アタッチメントの第１面に設けられ、コントローラ側スライド部に対して所定のスライド方向にスライド可能に係合することが可能であって、当該スライド方向の一方側と他方側とのうちの一方側からコントローラ側スライド部を挿入可能である。係止部は、アタッチメント側スライド部の中央より一方側に設けられ、アタッチメント側スライド部にコントローラ側スライド部が挿入されることによりゲームコントローラがアタッチメントに装着された状態において、当該挿入の方向とは逆の抜去方向へのスライド移動を係止する。ストラップ取り付け部は、アタッチメントのうちで、当該アタッチメントの中央よりも、スライド方向の他方側と同じ側の部分にストラップを取り付け可能である。
【００５７】
上記（２５）の構成によれば、上記（１）の構成と同様、ゲームコントローラに対するストラップの取り外しを容易に行うことができる。
【００５８】
（２６）
アタッチメントは、孔が形成されたハウジングをさらに備えていてもよい。ストラップ取り付け部は、ハウジングの内部に設けられる軸部であってもよい。アタッチメントは、軸部に取り付けられ、孔からハウジングの外部に延びるストラップをさらに備えていてもよい。
【００５９】
上記（２６）の構成によれば、ユーザは、ストラップを例えば手首に巻いてゲームコントローラ（すなわち、アタッチメントが装着されたゲームコントローラ）を把持する際に、係止部を容易に操作することができる。これによって、ユーザは、ゲームコントローラに対するストラップの取り外しをより容易に行うことができる。
【００６０】
なお、本発明は、上記アタッチメントを含む操作システム（例えば、上記アタッチメントと、上記アタッチメントを装着可能なゲームコントローラとを含む操作システム）として提供されてもよい。
【発明の効果】
【００６１】
本発明によれば、ゲームコントローラに対するストラップの取り外しを容易に行うことができる。
【図面の簡単な説明】
【００６２】
【図１】本実施形態に係るストラップアタッチメントの外観の一例を示す斜視図
【図２】ストラップアタッチメントが用いられるゲーム装置の一例を示す図
【図３】本体装置から各コントローラを外した状態の一例を示す図
【図４】右コントローラに対してストラップアタッチメントを装着する様子の一例を示す図
【図５】右コントローラに対してストラップアタッチメントが装着された様子の一例を示す図
【図６】右コントローラの一例を示す六面図
【図７】右コントローラが備えるスライダの拡大図
【図８】スライダの下端部付近の断面の一例を模式的に示す図
【図９】ストラップアタッチメントの一例を示す六面図
【図１０】図９に示すレール部材の拡大図
【図１１】スライド方向から見たレール部材の一例を模式的に示す図
【図１２】右コントローラのスライダとストラップアタッチメントのレール部材とが係合した状態の一例を模式的に示す図
【図１３】レール部材の下端部付近の断面の一例を模式的に示す図
【図１４】係止部が移動する様子の一例を示す図
【図１５】係止部が移動する様子の一例を示す図
【図１６】ストラップアタッチメントが右コントローラに装着される際における動作の一例を模式的に示す図
【図１７】ストラップアタッチメントが右コントローラから取り外される際における動作の一例を模式的に示す図
【図１８】ストラップを含むストラップアタッチメントの一例の全体を示す図
【図１９】ストラップアタッチメントのボタンによってコントローラのボタンが押下される様子の一例を模式的に示す図
【図２０】突出部の一例を示す図
【図２１】右コントローラの通知用ＬＥＤによる光がストラップアタッチメントの出射口から出射される様子の一例を示す図
【図２２】上記実施形態の変形例に係るストラップアタッチメントの一例を示す図
【図２３】変形例に係るストラップアタッチメントが右コントローラに対して装着された様子の一例を示す図
【図２４】変形例に係るストラップアタッチメントが左コントローラに対して装着された様子の一例を示す図
【図２５】変形例に係る係止部の一例を示す図
【発明を実施するための形態】
【００６３】
［１．概要］
以下、本実施形態の一例に係るアタッチメント、および、アタッチメントを含む操作システムについて説明する。図１は、本実施形態に係るストラップアタッチメントの外観の一例を示す斜視図である。
【００６４】
図１に示すストラップアタッチメント１は、コントローラに装着可能なアタッチメントの一例であり、ストラップ６５を有するアタッチメントである。なお、図１では、ストラップ６５の一部のみを示している。ユーザは、後述するゲームコントローラにストラップアタッチメント１を装着することによって、当該ゲームコントローラにストラップ６５を取り付けることができる。詳細は後述するが、ストラップアタッチメント１は、スライド機構によってゲームコントローラに対して容易に着脱することができるので、本実施形態によれば、ゲームコントローラに対するストラップの取り外しを容易に行うことができる。以下、本実施形態におけるストラップアタッチメントおよび当該ストラップアタッチメントを含む操作システムの概要について説明する。
【００６５】
（１−１：ストラップアタッチメントを用いることができるゲーム装置）
まず、図２および図３を参照して、ストラップアタッチメント１を用いることができるゲーム装置（つまり、ストラップアタッチメント１を装着可能なゲーム装置）の一例について説明する。図２および図３は、ストラップアタッチメント１が用いられるゲーム装置の一例を示す図である。図２に示すように、ゲーム装置５は、本体装置２と、左コントローラ３と、右コントローラ４とを含む。本体装置２は、ディスプレイ７を備え、ゲーム装置５における各種の処理を実行する装置である。左コントローラ３および右コントローラ４は、ストラップアタッチメント１を装着可能なコントローラの一例であり、ユーザが入力を行うための入力装置（操作装置とも言う）である。なお、以下において、左コントローラ３および右コントローラ４の総称として「コントローラ」と記載することがある。
【００６６】
図３は、本体装置２から各コントローラ３および４を外した状態の一例を示す図である。図２および図３に示すように、各コントローラ３および４は、本体装置２に対して着脱可能である。左コントローラ３は、本体装置２の左側（図２に示すｘ軸正方向側）に装着することができる。右コントローラ４は、本体装置２の右側（図２に示すｘ軸負方向側）に装着することができる。本実施形態において、ストラップアタッチメント１は、本体装置２から外されたコントローラ３および４に対して装着することが可能である。
【００６７】
なお、本実施形態においては、本体装置２と各コントローラ３および４とがそれぞれスライド部を有しており、それぞれのスライド部によって構成されるスライド機構によって各コントローラ３および４が本体装置２に装着（接続とも言う）される。各コントローラ３および４は、スライド部としてスライダを有している。本体装置２は、スライド部として、上記スライダに対してスライド可能に係合することが可能なレール部材を有している。なお、各コントローラ３および４が有するスライダについては後述する。本体装置２が有するレール部材については詳細な説明を省略するが、本体装置２が有するレール部材は、上記スライダに対してスライド可能に係合することが可能である点で、ストラップアタッチメント１が有するレール部材（このレール部材の詳細については後述する）と同様である。
【００６８】
コントローラを本体装置２に装着する際、ユーザは、まず、コントローラのスライダを本体装置２のレール部材に挿入することによって、当該スライダとレール部材とを係合させる。そして、レール部材の奥までスライダをスライド移動させることによって、ユーザは、コントローラを本体装置２に装着することができる。
【００６９】
本実施形態においては、図３に示すように、コントローラは、本体装置２の上から（すなわち、ｙ軸正方向側から）装着される。すなわち、レール部材の上端部に対してスライダ（具体的にはスライダの下端）を挿入することで、コントローラが本体装置２に装着される。換言すれば、本体装置２は、コントローラの下から装着されると言うことができる。上記によれば、本体装置２が床に載置された状態のままでコントローラを本体装置２に対して着脱することができるので、着脱の利便性を向上することができる。
【００７０】
以上のように、本実施形態におけるゲーム装置５によれば、ユーザは、本体装置２に対して各コントローラ３および４を装着することによって、ゲーム装置５の全体を把持して使用することができるとともに、本体装置２から各コントローラ３および４を外すことによって、コントローラのみを把持して使用することができる。本実施形態におけるストラップアタッチメントは、本体装置２から外されたコントローラに対して装着されて使用される。
【００７１】
（１−２：コントローラに対する装着の概要）
次に、図４および図５を参照して、コントローラに対するストラップアタッチメント１の装着の概要について説明する。図４は、右コントローラに対してストラップアタッチメントを装着する様子の一例を示す図である。本実施形態においては、ストラップアタッチメント１は、右コントローラ４のスライダに対してスライド可能に係合することが可能なレール部材を有している（レール部材の詳細については後述する）。したがって、右コントローラ４を本体装置２に装着する場合と同様に、右コントローラ４のスライダをストラップアタッチメント１のレール部材に挿入することで、ストラップアタッチメント１を右コントローラ４に対して装着することができる（図４参照）。
【００７２】
図５は、右コントローラに対してストラップアタッチメントが装着された様子の一例を示す図である。図５に示すように、右コントローラ４に対してストラップアタッチメント１が装着された状態においては、右コントローラ４とストラップアタッチメント１とが一体的な外観を有する（すなわち、一体であるかのように見える外観を有する）。そのため、ユーザは、右コントローラ４とストラップアタッチメント１とを一体として把持して使用することができる。このとき、ユーザは、ストラップアタッチメント１のストラップ６５を手首に通した状態で、右コントローラ４およびストラップアタッチメント１を把持してもよい。これによれば、例えばユーザが右コントローラ４およびストラップアタッチメント１を振って操作するような状況において、ユーザの手と右コントローラ４およびストラップアタッチメント１との距離を一定範囲内に収めることができる。
【００７３】
上記のように、本実施形態におけるストラップアタッチメント１は、右コントローラ４に装着する可能である。ただし、他の実施形態においては、ストラップアタッチメントは、左コントローラ３に装着可能であってもよい。なお、詳細は後述するが、本実施形態において、左コントローラ３は右コントローラと同様のスライド部材を有する。また、後述するストラップアタッチメント１のレール部材は、スライド方向に平行な中心軸に対して対称（より具体的には、図９に示すｚ軸方向における両側について対称）であるので、ストラップアタッチメント１のレール部材を用いることによって、左コントローラ３に装着可能なストラップアタッチメントを実現することができる。また、後述するように（“［４．本実施形態の作用効果および変形例］”参照）、ストラップアタッチメントは、左コントローラ３と右コントローラ４との両方に装着されることが可能であってもよい。
【００７４】
［２．コントローラの構成］
次に、図６を参照して、右コントローラ４の構成例について説明する。図６は、右コントローラの一例を示す六面図である。なお、図６に示すｘｙｚ座標系は、正面図（図６に示す（ａ））における向きを表す。
【００７５】
（２−１：ハウジング）
図６に示すように、右コントローラ４は、ハウジング１０を備える。本実施形態においては、ハウジング１０は、長手形状（図６においては上下方向に長い形状）を有する。ハウジング１０は、大略的には、６つの面を有する直方体形状である。図６に示すように、ハウジング１０の主面（換言すれば、表側の面、すなわち、図６に示すｚ軸負方向側の面）は、右側の角部分が、左側の角部分よりも丸みを帯びた形状になっている。すなわち、ハウジング１０の上側面と右側面との接続部分、および、ハウジング１０の下側面と右側面との接続部分は、その上側面と左側面との接続部分、および、その下側面と左側面との接続部分に比べて、丸くなっている（換言すれば、面取りにおけるＲが大きい）。したがって、右コントローラ４が本体装置２またはストラップアタッチメント１と接続された状態（図２および図５参照）では、右コントローラ４を含む装置の角部分が丸みを帯びた形状となるので、ユーザにとって持ちやすい形状となる。
【００７６】
（２−２：スライダ）
図６に示すように、右コントローラ４は、スライダ１１を備える。上述のように、スライダ１１は、本体装置２またはストラップアタッチメント１に対して右コントローラ４を接続するためのスライド部である。スライダ１１は、右コントローラ４の左側面（すなわち、ｘ軸正方向側の側面）から突出するように設けられる。
【００７７】
図７は、右コントローラが備えるスライダの拡大図である。図７は、図６に示すスライダ１１を、上側（すなわち、ｙ軸正方向側）から見たときの拡大図である。図７に示すように、スライダ１１は、大略的には、スライド方向（すなわち、ｙ軸方向）に垂直な断面がＴ字形状となる形状を有する。
【００７８】
具体的には、スライダ１１は、軸部３１と、天面部３２とを有する。軸部３１は、ハウジング１０から突出して設けられる。天面部３２は、軸部３１においてハウジング１０の反対側（すなわち、ｘ軸正方向側）に設けられる 。天面部３２の幅（すなわち、ｚ軸方向に関する長さ）は、軸部３１の幅より広い。また、天面部３２のｚ軸方向における端部は、軸部３１のｚ軸方向における端部よりも突出した位置（換言すれば、外側の位置）に配置される。
【００７９】
このように、スライダ１１は、スライド方向に垂直な断面における断面形状として、ハウジング１０の側面から突出する（換言すれば、側面に隣接する）第１部分（すなわち、軸部３１）の幅が、第１部分よりも当該ハウジング１０の側面から離れた位置にある第２部分（すなわち、天面部３２）の幅よりも短い形状を有する。詳細は後述するが、上記の形状によって、レール部材と係合したスライダ１１は、スライド方向に垂直な向きに関してはレール部材に対して固定されて外れないようになっている（図１３参照）。
【００８０】
図６および図７に示すように、本実施形態においては、右コントローラ４は、突起部２７を備える。図７に示すように、突起部２７は、スライダ１１の軸部３１の側面から突出するように設けられる。具体的には、軸部３１の側面には孔が設けられており、突起部２７は、当該孔から突出して設けられる。また、突起部２７は、軸部３１の側面から突出した突出状態と、当該突出状態から当該側面の内側の方へ移動した状態（収納状態と呼ぶ。ただし、突起部２７が軸部３１の内部に完全に収納されなくてもよい。）との間で移動可能である。本実施形態において、突起部２７は、例えばバネ等の弾性部材（付勢部材とも言う）によって、上記突出状態となるように付勢されている。
【００８１】
上記突起部２７は、右コントローラ４が本体装置２に対して装着された状態（装着状態と呼ぶ）において、本体装置２に対する右コントローラ４のスライド移動をロックするために用いられる。ここで、本体装置２のレール部材には、装着状態において突起部２７に対応する位置に、切欠きが形成される。本体装置２のレール部材における切欠きは、図示しないが、ストラップアタッチメント１のレール部材に設けられる切欠き（詳細は後述する）と同様の位置に形成される（図１０参照）。なお、本実施形態においては、突起部２７は、スライダ１１の上端側（すなわち、ｙ軸正方向側）の部分に設けられており、上記切欠きは、レール部材の上端側の部分に形成されている。以上より、装着状態においては、突出状態にある突起部２７は、レール部材の切欠きに引っ掛かる。これによって、突起部２７は、本体装置２に対する右コントローラ４のスライド移動を係止する（換言すれば、ロックする）ことができる。
【００８２】
また、図６に示すように、右コントローラ４は、解除ボタン２８を備える。図示しないが、解除ボタン２８は、突起部２７と連動して移動することが可能に構成される。具体的には、解除ボタン２８が押下されていない状態では、突起部２７が上記突出状態となり、解除ボタン２８が押下されたことに応じて、突起部２７が上記収納状態となる。装着状態において、突起部２７が収納状態となる場合、突起部２７は、上記レール部材の切欠きには引っ掛からない（あるいは、ほとんど引っ掛からない）。そのため、収納状態においては、突起部２７による係止（換言すれば、ロック）が解除される。
【００８３】
以上より、ユーザは、解除ボタン２８を押下することによって、突起部２７を収納状態へと移行させ、突起部２７によるロックを解除することができる。したがって、ユーザは、解除ボタン２８を押下してロックが解除された状態で、右コントローラ４をスライド移動させることによって、本体装置２から右コントローラ４を容易に外すことができる。
【００８４】
（２−３：入力部）
右コントローラ４は、ユーザが入力操作を行うための操作部（入力部とも言う）を備える。本実施形態においては、右コントローラ４は、操作部として、アナログスティック１２、および、各ボタン１３〜２３を備える。
【００８５】
ハウジング１０の上記主面には、アナログスティック１２、および、各ボタン１３〜１８が設けられる。アナログスティック１２は、方向入力を行うことが可能な方向入力部の一例である。右コントローラ４が本体装置２から外された状態で使用される場合、ハウジング１０の主面に設けられる各操作部は、右コントローラ４を把持するユーザの例えば親指で操作される。
【００８６】
ハウジング１０の上側側面（すなわち、ｙ軸正方向側の側面）には、第１Ｒボタン１９およびＺＲボタン２０が設けられる。第１Ｒボタン１９は、ハウジング１０の側面のうちの右上部分に設けられる。また、ＺＲボタン２０は、ハウジング１０の側面から裏面にかけての右上部分（厳密には、ハウジング１０を表側から見たときの右上部分）に設けられる。右コントローラ４が本体装置２から外された状態で使用される場合、ハウジング１０の上側側面に設けられる各ボタン１９および２０は、例えばユーザが右コントローラ４を片手で把持する場合において、ユーザの例えば人差し指および／または中指で操作される。
【００８７】
図６に示すように、右コントローラ４におけるＺＲボタン２０は、ハウジング１０から突起して設けられる。すなわち、ハウジング１０の裏面のうちでＺＲボタン２０が設けられる部分（より具体的には、ＺＲボタン２０の周囲の少なくとも一部）は、ハウジング１０の他の部分に比べて突起している。また、ＺＲボタン２０は、ハウジング１０の裏面における当該他の部分に対して突起して設けられる。したがって、右コントローラ４が本体装置２に装着される場合、右コントローラ４の裏面が水平な載置面に対向する向きで本体装置２を載置面に載置すると、ハウジング１０の突起部分が載置面に接触する。その結果、本体装置２の上側が下側よりもやや高くなるように載置されるので、ユーザにとってはディスプレイ７が見やすくなる。
【００８８】
スライダ１１の天面には、第２Ｌボタン２１および第２Ｒボタン２２が設けられる。ここで、スライダの天面とは、スライダが設けられるハウジング１０の面と実質的に同じ方向を向く面であり、換言すれば、コントローラが本体装置２に装着された場合に本体装置２のレール部材の底面に対向する面である。スライダ１１の天面に設けられる各ボタン２１および２２は、例えばユーザが右コントローラ４を両手で把持する場合において、ユーザの例えば人差し指および／または中指で操作される。
【００８９】
上記の各ボタン１３〜２２は、本体装置２で実行される各種プログラム（例えば、ＯＳプログラムやアプリケーションプログラム）に応じた指示を行うために用いられる。
【００９０】
また、上記スライダ１１の天面には、ペアリングボタン２３が設けられる。本実施形態において、ペアリングボタン２３は、右コントローラ４と本体装置２との無線通信に関する処理を指示するために用いられる。無線通信に関する処理は、例えば、右コントローラ４と本体装置２との無線通信に関する設定処理（ペアリングとも言う）や、無線通信を一端切断してから接続し直す処理（リセット処理とも言う）である。
【００９１】
なお、本実施形態において、スライダ１１の天面に設けられる各ボタン２１〜２３は、当該天面に対して突出しないように設けられる。すなわち、上記各ボタン２１〜２３の操作面は、スライダ１１の天面と同じ面上の位置、あるいは、天面よりも凹んだ位置に配置される。これによれば、スライダ１１が本体装置２またはストラップアタッチメント１のレール部材に係合する状態において、スライダ１１をレール部材に対してスムーズにスライドさせることができる。
【００９２】
また、図示しないが、本実施形態においては、右コントローラ４は、入力部の一例として、加速度センサおよび角速度センサを備える。加速度センサは、所定の３軸（例えば、図６に示すｘｙｚ軸）方向に沿った直線加速度の大きさを検出する。なお、加速度センサは、１軸方向あるいは２軸方向の加速度を検出するものであってもよい。また、角速度センサは、所定の３軸（例えば、図６に示すｘｙｚ軸）回りの角速度を検出する。なお、角速度センサは、１軸回りあるいは２軸回りの角速度を検出するものであってもよい。
【００９３】
本体装置２は、上記の加速度センサおよび角速度センサの検出結果に基づいて、右コントローラ４の動きおよび／または姿勢に関する情報を算出することが可能である。つまり、本実施形態においては、ユーザは、コントローラ自体を動かす操作を行うことが可能である。なお、他の実施形態においては、コントローラの動き、姿勢、および／または位置を算出するセンサ（例えば、慣性センサ）として、他の種類のセンサが用いられてもよい。
【００９４】
（２−４：その他の構成）
右コントローラ４は、通知用ＬＥＤ２５を備える。通知用ＬＥＤ２５は、ユーザに対して所定の情報を通知するための通知部である。本実施形態においては、右コントローラ４は、通知用ＬＥＤ２５として、４つのＬＥＤを備える。例えば、上記所定の情報は、本体装置２によって右コントローラ４に対して付された番号や、右コントローラ４の電池残量に関する情報である。
【００９５】
図６に示すように、本実施形態においては、通知用ＬＥＤ２５は、スライダ１１（具体的には、スライダ１１の天面）に設けられる。このように、通知用ＬＥＤ２５は、右コントローラ４が本体装置２に装着されている状態では見えない位置に配置されており、右コントローラ４を本体装置２から外した場合において主に用いられる。また、本実施形態においては、通知用ＬＥＤ２５は、上記第２Ｌボタン２１と、上記第２Ｒボタン２２との間に設けられる。これによれば、例えば、ユーザが右コントローラ４を両手で把持して使用する際において、左手の人差し指で第２Ｌボタン２１を操作し、右手の人差し指で第２Ｒボタン２２を操作する場合に、通知用ＬＥＤ２５を見やすい位置（換言すれば、ユーザの手で隠れにくい位置）に配置することができる。
【００９６】
また、右コントローラ４は、本体装置２（またはストラップアタッチメント１）と電気的に接続するための端子２６を備える。本実施形態においては、端子２６は、スライダ１１の下端部（すなわち、ｙ軸負方向側の端部）に設けられる。詳細な説明は省略するが、本実施形態においては、装着状態において、右コントローラ４の端子２６と、本体装置２の端子（またはストラップアタッチメント１の端子）とが接触するように構成される。したがって、装着状態においては、右コントローラ４と本体装置２との間で、上記端子を介した有線通信が可能となる。
【００９７】
なお、本実施形態においては、右コントローラ４は、本体装置２との間で無線通信を行う機能を備える。本体装置２と各コントローラとの通信方式は任意であるが、本実施形態においては、本体装置２ならびに各コントローラ３および４は、Ｂｌｕｅｔｏｏｔｈ（登録商標）の規格に従った通信を行うことが可能である。
【００９８】
以上より、本実施形態においては、コントローラは、本体装置２に装着された状態と、本体装置２から外された状態とのいずれの状態においても、本体装置２との通信が可能である。例えば、コントローラは、上記入力部に対する入力を示すデータを本体装置２へ送信する。
【００９９】
図８は、スライダの下端部付近の断面の一例を模式的に示す図である。図８は、図６に示すＡ−Ａ’断面におけるスライダ１１の部分断面の一例を模式的に示す図である。なお、本明細書において「模式的に示す」とは、説明対象となる構成要素（例えば、図８においてはスライダ）を見やすくする目的で、当該構成要素の大きさおよび形状や、構成要素間の位置関係を、他の図面とは異なるようにして示すことを意味する。
【０１００】
図６および図８に示すように、スライダ１１は、スライダ１１の下端側に突出部３２ａを有する。突出部３２ａは、スライダ１１の下端側においてスライド方向に（より具体的には、下方向、すなわち、ｙ軸負方向に）突出して設けられる。突出部３２ａは、スライダ１１において、ハウジング１０から遠い側（すなわち、ｘ軸正方向側）に設けられる。つまり、突出部３２ａは、ハウジング１０とは間隔を空けて設けられる。突出部３２ａは、右コントローラ４のハウジング１０の方を向く対向面３２ｃを有する。対向面３２ｃは、右コントローラ４の所定面（具体的には、左側面）に対向する。
【０１０１】
図８に示すように、端子２６は、上記突出部３２ａの対向面３２ｃに設けられる。したがって、端子２６は、ハウジング１０を向く側が露出された状態で配置される。このように、端子２６は、スライダ１１（具体的には、突出部３２ａ）における裏側に配置される。上記のように、端子２６がハウジング１０を向く側が露出されて配置されることによって、端子２６がユーザの手や他の物体に接触する可能性を低減することができ、端子２６を保護することができる。なお、図８に示すように、端子２６の先端は、スライド方向において、突出部３２ａの先端（具体的には、ｙ軸負方向側の先端）よりも内側に位置する。これによっても、端子２６を保護することができる。
【０１０２】
なお、図８に示すように、突出部３２ａは、壁部３２ｂを有する。壁部３２ｂは、上記対向面３２ｃにおいて、対向面３２ｃに平行で、かつ、スライド方向と実質的に垂直な方向（すなわち、ｚ軸方向）に関する両側に設けられる。壁部３２ｂによって、端子２６がユーザの手や他の物体に接触する可能性をより低減することができるので、端子２６をより確実に保護することができる。
【０１０３】
詳細は後述するが、左コントローラ３が本体装置２に装着される場合には、端子２６（換言すれば、突出部３２ａ）とハウジング１０の左側面との間の空間に、後述するストラップアタッチメント１の停止部５４（図１３）が挿入される。なお、図８に示すように、突出部３２ａは、スライド方向における先端において、端子２６が設けられる対向面３２ｃから当該対向面３２ｃの裏側の面に近づく方向へ（換言すれば、ハウジング１０の左側面から離れる方向へ）傾斜する傾斜面を有する。これによれば、左コントローラ３が本体装置２（またはストラップアタッチメント１）に装着される際に、突出部３２ａとハウジング１０の左側面との間の空間に、ストラップアタッチメント１の停止部５４を挿入しやすくすることができる。
【０１０４】
また、図６に示すように、ハウジング１０の下側面には、窓部２９が設けられる。本実施形態においては、右コントローラ４は、図示しない赤外撮像部を備えており、赤外撮像部によってユーザの手の動きおよび／またはジェスチャなどを検出する。窓部２９は、ハウジング１０の内部に配置される赤外撮像部のカメラが右コントローラ４の周囲を撮像するために設けられる。窓部２９は、赤外撮像部のカメラのレンズを保護するためのものであり、当該カメラが検知する波長の光を透過する材質（例えば、透明な材質）で構成される。
【０１０５】
また、図示しないが、右コントローラ４は、バッテリと、電力制御回路とを有する。電力制御回路は、バッテリに接続されるとともに、右コントローラ４の各部（具体的には、バッテリの電力によって動作する電子回路等の電子部材）に接続される。電力制御回路は、バッテリから上記各部への電力供給を制御する。また、バッテリは、端子２６に接続される。詳細は後述するが、本実施形態においては、ストラップアタッチメント１が右コントローラ４に装着される場合、バッテリは、端子２６を介してストラップアタッチメント１からの給電によって充電される。
【０１０６】
（２−５：左コントローラ３の構成）
左コントローラ３は、ハウジングの形状（左コントローラ３のハウジングは、右コントローラ４のハウジング１０とは大略的には左右対称の形状を有する）、および、操作部（アナログスティックおよびボタン）の配置について、右コントローラ４とは異なる構成を備えている（図２および図３参照）。
【０１０７】
一方、左コントローラ３は、スライド部（具体的にはスライダ）に関して、右コントローラ４と同様の構成を有する。なお、右コントローラ４は、ハウジング１０の左側面にスライダが設けられるのに対して、左コントローラ３においては、ハウジングの右側面にスライダが設けられる点で相違する（図３参照）。ただし、本実施形態においては、スライダ、および、スライダに設けられる部材（具体的には、各ボタン２１−２４、および、通知用ＬＥＤ２５）については、右コントローラ４と左コントローラ３とで同じである。
【０１０８】
また、左コントローラ３は、右コントローラ４と同様、加速度センサおよび角速度センサを備えており、ユーザは、左コントローラ３自体を動かす操作を行うことが可能である。
【０１０９】
本実施形態においては、各コントローラ３および４のスライダの天面に、第２Ｌボタンおよび第２Ｒボタンが設けられる。これらの第２Ｌボタンおよび第２Ｒボタンは、上下方向（すなわち、ｙ軸方向）に関して、左コントローラ３と右コントローラ４とで同じ位置に配置される。
【０１１０】
また、本実施形態においては、各コントローラ３および４のスライダの天面には、通知用ＬＥＤ（本実施形態においては、４つの通知用ＬＥＤ）が設けられる。この通知用ＬＥＤは、上下方向（すなわち、ｙ軸方向）に関して、左コントローラ３と右コントローラ４とで同じ位置に配置される。
【０１１１】
なお、上記各コントローラ３および４において、ハウジングに設けられる各構成要素（具体的には、スライダ、スティック、ボタン、およびＬＥＤ等）の形状、数、および、設置位置は任意である。例えば、他の実施形態においては、各コントローラ３および４は、アナログスティックとは別の種類の方向入力部を備えていてもよい。また、スライダは、本体装置２に設けられるレール部材の位置に応じた位置に配置されてよく、例えば、ハウジングの主面または裏面に配置されてもよい。また、他の実施形態においては、コントローラ３および４は、上記各構成要素のうちいくつかを備えていない構成であってもよい。
【０１１２】
［３．ストラップアタッチメントの構成］
次に、図９〜図２１を参照して、ストラップアタッチメント１の構成例について説明する。図９は、ストラップアタッチメントの一例を示す六面図である。なお、図９に示すｘｙｚ座標系は、正面図（図９に示す（ａ））における向きを表す。
【０１１３】
（３−１：ハウジングに関する構成）
図９に示すように、ストラップアタッチメント１は、ハウジング４１を備える。ハウジング４１の形状は任意であるが、本実施形態においては、ハウジング４１は、前側（すなわち、ｚ軸負方向側）の取付部４１ａと、後側の把持部４１ｂとを有する（図９（ｃ）参照）。取付部４１ａと把持部４１ｂとは、一体的に形成される構成であってもよいし、別体で形成される２つの部材が接続されている構成であってもよい。
【０１１４】
取付部４１ａは、右コントローラ４が取り付けられる部分である。図９に示すように、取付部４１ａは、長手形状（図９においては上下方向に長い形状）を有する。取付部４１ａは、装着面（換言すれば、右側面、すなわち、ｘ軸負方向側の面）と、ボタン配置面（換言すれば、左側面、すなわち、ｘ軸正方向側の面）とを有する。装着面には、右コントローラ４を装着するためのレール部材４２が設けられる。ボタン配置面には、ボタン４６および４７が設けられる。なお、装着面にはレール部材４２が設けられるので、レール部材４２を含めてハウジングと言うこともできる。つまり、レール部材４２もハウジングの一部と言うこともできる。
【０１１５】
図９に示すように、本実施形態においては、取付部４１ａにおいて、スライド方向（すなわち、ｙ軸方向）におけるボタン配置面の両側の端部は、丸みを帯びた曲面で形成される。これによれば、ストラップアタッチメント１と、当該ストラップアタッチメント１が装着された右コントローラ４とによって構成される装置（以下、「ストラップ付きコントローラ装置」と呼ぶ。）の角部分を丸く形成することができる（図５参照）。これによって、ユーザが把持しやすい装置を提供することができる。
【０１１６】
一方、把持部４１ｂは、ストラップアタッチメント１に右コントローラ４が装着された状態（「装着状態」と呼ぶ）において、ユーザが把持する部分である。つまり、ユーザは、ストラップ付きコントローラ装置を片手または両手で把持する際、コントローラの主面（すなわち、ｚ軸負方向側の面）に設けられるボタンを親指で操作する場合、人差し指から小指のうちのいくつかの指で、把持部を支えるようにして把持する。
【０１１７】
図９に示すように、把持部４１ｂは、底面４１ｃを有する。底面４１ｃは、取付部４１ａの装着面における後側の辺から、当該装着面に対して離れる方向に延びる。底面４１ｃは、装着面に対して実質的に垂直である。底面４１ｃは、上記装着状態において、右コントローラ４のハウジング１０の裏面（すなわち、ｚ軸正方向側の面）に対向する（図６参照）。本実施形態において、底面４１ｃは、装着状態において右コントローラ４のハウジング１０の裏面に接触しないように（ただし、後述する弾性部材４４は裏面に接触する）配置される。これによって、ストラップアタッチメント１を右コントローラ４に装着したり取り外したりする際にストラップアタッチメント１の底面４１ｃが右コントローラ４を傷つける可能性を低減することができる。なお、他の実施形態においては、底面４１ｃは、装着状態において右コントローラ４のハウジング１０の裏面に接触してもよい。
【０１１８】
図９に示すように、ストラップアタッチメント１は、底面４１ｃに設けられる弾性部材４４を有する。弾性部材４４は、装着状態における右コントローラ４に対して接触する位置に設けられる。弾性部材４４は、底面４１ｃから（やや）突出して設けられる（図９（ｄ）参照）。したがって、装着状態において右コントローラ４は弾性部材４４に接触するので、弾性部材４４によって、右コントローラ４とストラップアタッチメント１とのがたつきを低減することができ、右コントローラ４とストラップアタッチメント１とをよりしっかりと接続することができる。また、ストラップアタッチメント１を右コントローラ４に装着したり取り外したりする際にストラップアタッチメント１の底面４１ｃが右コントローラ４を傷つける可能性をより低減することができる。さらに、図示しない振動子によって右コントローラ４が振動する場合には、右コントローラ４の振動を、弾性部材４４を介してストラップアタッチメント１に効果的に伝達することができる。また、振動時に生じる音（いわゆる、ビビリ音）を低減することができる。
【０１１９】
図９に示すように、弾性部材４４は、底面４１ｃにおいて、底面４１ｃの中央よりレール部材４２の反対側（すなわち、ｘ軸負方向側）に設けられる。より具体的には、弾性部材４４は、底面４１ｃの領域（正確には、底面４１ｃの領域であって、かつ、装着状態において右コントローラ４の裏面に対向する領域）のうち、レール部材４２の反対側の端部に設けられる。このように、右コントローラ４と接続されるレール部材４２の反対側において底面４１ｃと右コントローラ４との接触を弾性部材４４によって抑止するようにすることによって、底面４１ｃの全体が右コントローラ４に接触しにくくすることができる。これによって、底面４１ｃが右コントローラ４を傷つける可能性をより低減することができる。
【０１２０】
また、弾性部材４４は、上下方向（すなわち、ｙ軸方向）において、装着状態における右コントローラ４の主面に設けられる操作部（具体的には、アナログスティック１２、および、各ボタン１３〜１６）に対応する位置に設けられる。なお、上記アナログスティック１２および各ボタン１３〜１６は、ストラップ付きコントローラ装置の使用中に操作される頻度が高いと想定される操作部である。具体的には、上記操作部は、右コントローラ４の主面のうちの所定領域（すなわち、図６に示す一点鎖線により囲まれる領域Ａ）に設けられる。弾性部材４４は、装着状態における右コントローラ４の裏面において上記所定領域に対応する領域（すなわち、裏面上の領域）に対向する位置に設けられる（図９参照）。なお、図９に示す一点鎖線により囲まれる領域Ｂは、底面４１ｃにおいて、上記所定領域に対応する右コントローラ４の裏面上の領域に対向する領域を示している。このように、弾性部材４４は、上下方向に関して、領域Ｂと重複する位置に設けられる。
【０１２１】
ここで、上記操作部は、操作される頻度が高いと想定されるので、右コントローラ４のハウジング１０における上記所定領域Ａには、前側から後側への方向（すなわち、ｚ軸正方向）の力が加えられやすいと考えられる。したがって、仮に底面４１ｃに弾性部材４４が設けられないとすれば、ハウジング１０の所定領域Ａが底面４１ｃに接触しやすくなる場合がある。これに対して、本実施形態においては、上記所定領域Ａに対応する領域Ｂに弾性部材４４を配置することによって、右コントローラ４の裏面がストラップアタッチメント１の底面４１ｃと接触することを効果的に抑制することができる。
【０１２２】
図９に示すように、把持部４１ｂは、突起部対向面４１ｄを有する。突起部対向面４１ｄは、装着状態において右コントローラ４のハウジング１０の突起部（すなわち、ＺＲボタン２０の周囲に設けられる突起部分）に対向する面である。具体的には、突起部対向面４１ｄは、底面４１ｃの上辺から、上方かつ斜め後方に延びる。換言すれば、底面４１ｃは、上端部分において切欠きを有するように形成されている。底面４１ｃの上辺は、装着状態における右コントローラ４の上記突起部のやや下方に位置するように設けられる。
【０１２３】
上記の構成により、装着状態において、突起部対向面４１ｄは、右コントローラ４の上記突起部に対向する。なお、本実施形態においては、突起部対向面４１ｄが右コントローラ４を傷つける可能性を低減するべく、装着状態において突起部対向面４１ｄが突起部に接触しないように設けられる。ただし、他の実施形態においては、装着状態において突起部対向面４１ｄが突起部に接触してもよい。また、装着状態において、底面４１ｃは、突起部対向面４１ｄによる上記切欠きによって、右コントローラ４の上記突起部を避けることができる。以上のように、突起部対向面４１ｄによって、裏面に突起部が設けられる右コントローラ４をストラップアタッチメント１に装着することができる。また、ユーザは、装着状態においても右コントローラ４のＺＲボタン２０を操作することができる。
【０１２４】
図９に示すように、把持部４１ｂは、解除ボタン当接面４１ｅを有する。解除ボタン当接面４１ｅは、装着状態において右コントローラ４の解除ボタン２８に当接（換言すれば、押下）する面である。具体的には、解除ボタン当接面４１ｅは、装着状態において右コントローラ４の解除ボタン２８に対向する位置に設けられる。解除ボタン当接面４１ｅは、底面４１ｃよりも後側（すなわち、ｚ軸正方向側）に設けられる。具体的には、前後方向に関する底面４１ｃと解除ボタン当接面４１ｅとの間の距離は、突出状態における解除ボタン２８の前後方向における長さ（換言すれば、ハウジング１０から解除ボタン２８が突出している長さ）よりも短い。なお、他の実施形態においては、解除ボタン当接面４１ｅは、前後方向において底面４１ｃと同じ位置に設けられてもよいし、底面４１ｃよりも前側に設けられてもよい。
【０１２５】
上記の構成により、装着状態において、解除ボタン当接面４１ｅは、右コントローラ４の解除ボタン２８に当接し、解除ボタン２８をやや押下する。これによって、ストラップアタッチメント１が右コントローラ４に装着された状態においては、本体装置２に右コントローラ４が装着された状態とは異なり、突起部２７は、突出状態とはならず、レール部材に係止しない（あるいは、ほとんど係止しない）。したがって、ストラップアタッチメント１が右コントローラ４に装着された場合には、ストラップアタッチメント１を右コントローラ４から取り外す際に、ユーザが解除ボタン２８を押下する必要はない。なお、詳細は後述するが、ストラップアタッチメント１が右コントローラ４に装着された場合には、突起部２７に代えて、ストラップアタッチメント１の係止部４３が、ストラップアタッチメント１に対する右コントローラ４のスライド移動を係止する（換言すれば、ロックする）役割を有する。
【０１２６】
本実施形態においては、把持部４１ｂは、電池を収納可能である。すなわち、図９に示すように、把持部４１ｂは、電池蓋４１ｆを有する。電池蓋４１ｆは、把持部４１ｂの本体（すなわち、電池蓋４１ｆ以外の部分）に対して着脱可能に構成される。本実施形態においては、把持部４１ｂの内部において、電池蓋４１ｆの内側に電池が配置される。電池は、一次電池であってもよいし、二次電池であってもよい。ユーザは電池蓋４１ｆを外した状態にすることで電池を交換することができる。電池は、ストラップアタッチメント１が装着された右コントローラ４へ電力を供給するためのものである。詳細は後述するが、ストラップアタッチメント１は、上記電池による電力を、自身が装着された右コントローラ４に対して供給する。
【０１２７】
（３−２：レール部材に関する構成）
図９に示すように、ストラップアタッチメント１は、レール部材４２を備える。レール部材４２は、右コントローラ４のスライダ１１に対してスライド可能に係合することが可能なスライド部の一例である。レール部材４２は、ハウジング４１の上記装着面に設けられる。なお、他の実施形態においては、レール部材４２は、ハウジング４１と一体的に構成されてもよい。すなわち、ハウジング４１の一部がレール部材として機能してもよい。
【０１２８】
図１０は、図９に示すレール部材の拡大図である。また、図１１は、スライド方向から見たレール部材の一例を模式的に示す図である。図１０および図１１に示すように、レール部材４２は、底面部５１と、側面部５２ａおよび５２ｂと、対向部５３ａおよび５３ｂとを有する。なお、以下において、側面部５２ａおよび５２ｂの総称として「側面部５２」と記載することがある。また、対向部５３ａおよび５３ｂの総称として「対向部５３」と記載することがある。本実施形態においては、各部５１〜５３は、略板状の部材である。
【０１２９】
底面部５１は、ハウジング４１の装着面において、当該装着面と実質的に平行に配置される。底面部５１は、レール部材４２の底面を有する。また、図１１に示すように、側面部５２は、底面に対して実質的に垂直な側面を有する。側面部５２は、底面部５１における幅方向（すなわち、ｚ軸方向）に関する両端から、底面部５１に対して実質的に垂直に延びる。具体的には、側面部５２ａは、底面部５１の一端側（すなわち、ｚ軸負方向側）から延び、側面部５２ｂは、底面部５１の他端側（すなわち、ｚ軸正方向側）から延びる。図１１に示すように、底面部５１と側面部５２とによって、溝部が形成される。
【０１３０】
図１１に示すように、対向部５３は、側面部５２の２つの側面からそれぞれ延びて設けられ、底面に対向する面を有する。対向部５３は、側面部５２において、底面部５１が接続される側と反対側（すなわち、ｘ軸負方向側）から、底面と実質的に平行な方向へ延びる。具体的には、対向部５３ａは、側面部５２ａのｘ軸負方向側の端部から延び、対向部５３ｂは、側面部５２ｂのｘ軸負方向側の端部から延びる。対向部５３ａおよび５３ｂは、側面部５２からレール部材４２の内側に向かって突出するように（換言すれば、互いに近づく方向に突出するように）設けられる。また、底面部５１と側面部５２とによって形成される上記溝部にコントローラのスライダを挿入することができるように、対向部５３ａと対向部５３ｂとは、互いに間隔を空けて配置される（図１１）。
【０１３１】
図１２は、右コントローラのスライダとストラップアタッチメントのレール部材とが係合した状態の一例を模式的に示す図である。右コントローラ４に対してストラップアタッチメント１が装着される場合には、レール部材４２の上記溝部に右コントローラ４のスライダ１１が挿入されることによって、図１２に示すような、レール部材４２とスライダ１１とが係合した状態となる。この状態において、レール部材４２に係合したスライダ１１は、スライド方向（すなわち、ｙ軸方向）にはスライド移動可能であるとともに、スライド方向に垂直な方向（すなわち、ｘ軸方向）に関しては、対向部５３によって固定されて外れないようになっている。
【０１３２】
なお、図１０に示すように、対向部５３における上端部分（すなわち、ｙ軸正方向側の端部）の一部において、切欠きＣ１が形成される。切欠きＣ１は、右コントローラ４にストラップアタッチメント１が装着された状態において右コントローラ４の突起部２７に対応する位置に形成される。なお、上述したように、装着状態においては、右コントローラ４の解除ボタン２８が解除ボタン当接面４１ｅによって押下されるので、突起部２７は対向部５３には（ほとんど）係止しない。
【０１３３】
図１０に示すように、レール部材４２は、停止部５４を有する。停止部５４は、レール部材４２に挿入された右コントローラ４のスライダ１１による挿入方向（すなわち、ｙ軸負方向）へのスライド移動を停止する。具体的には、図１０に示すように、レール部材４２の上端（すなわち、ｙ軸正方向側の端）は、右コントローラ４のスライダ１１を挿入可能なように、開放されている。一方、レール部材４２の下端部には上記停止部５４が設けられる。したがって、停止部５４は、スライド方向における上側から挿入されたスライダ１１と当接することによって当該スライダ１１のスライド移動を停止させる。
【０１３４】
より具体的には、本実施形態においては、図１０に示すように、停止部５４は、スライド方向に沿った軸（すなわち、ｙ軸）の一方側に配置される第１部分と、他方側に配置される第２部分とを有する。本実施形態においては、第１部分と第２部分とは間隔を空けて配置される。この第１部分と第２部分との間隔は、スライダ１１を挿入することができない程度の狭い間隔になっている。したがって、スライダ１１がレール部材４２に挿入された場合、スライダ１１の先端付近の部分が停止部５４に当接した位置でスライダ１１のスライド移動が停止されることとなる。なお、他の実施形態においては、第１部分と第２部分との間隔は無くてもよい。つまり、第１部分と第２部分とは一体的に形成されてもよい。
【０１３５】
なお、他の実施形態においては、停止部５４がスライダ１１と当接することに代えて（または、共に）、スライダ１１の先端（具体的には、突出部３２ａの先端）が、停止部５４の奥に設けられる壁面に当接することによって当該スライダ１１のスライド移動を停止してもよい。
【０１３６】
なお、本実施形態において、「右コントローラ４に対してストラップアタッチメント１が装着された状態（すなわち、装着状態）」とは、スライダ１１のスライド移動が停止部５４によって実質的に停止された状態である。なお、この装着状態は、スライダ１１が停止部５４に接触した状態に限らず、スライダ１１と停止部５４とが厳密には接触していなくても、（スライダ１１と停止部５４との隙間がほとんどないために）スライダが挿入方向へほとんど移動できない状態をも含む。
【０１３７】
図１３は、レール部材の下端部付近の断面の一例を模式的に示す図である。図１３は、図１０に示すＣ−Ｃ’断面におけるレール部材４２の部分断面の一例を模式的に示す図である。
【０１３８】
図１３に示すように、停止部５４は、底面部５１の一部（具体的には、底面部５１の下端付近の部分）と対向する位置に、底面部５１と間隔を空けて設けられる。停止部５４は、底面部５１と対向する対向面を有する。対向面は、ストラップアタッチメント１のハウジング４１（換言すれば、装着面）の方を向く面である。本実施形態においては、右コントローラ４にストラップアタッチメント１が装着される際、底面部５１と停止部５４との間の空間に、右コントローラ４のスライダ１１（より具体的には、突出部３２ａ）が挿入される。
【０１３９】
図１３に示すように、ストラップアタッチメント１は、端子５５を備える。端子５５は、停止部５４の上記対向面に設けられる。図１３に示すように、端子５５は、底面部５１を向く側が露出された状態で配置される。このように、本実施形態においては、端子５５は、ストラップアタッチメント１の装着面（換言すれば底面部５１）と間隔を空けて配置される部材（すなわち、停止部５４）において、当該部材の裏側（すなわち、底面部５１に対向する側）に配置される。これによれば、端子５５がユーザの手や他の物体に接触する可能性を低減することができ、端子５５を保護することができる。
【０１４０】
本実施形態においては、装着状態では、右コントローラ４のスライダ１１の突出部３２ａが、ストラップアタッチメント１のレール部材４２の底面部５１と停止部５４との間に挿入された状態となる。そして、装着状態では、突出部３２ａに設けられる端子２６と、停止部５４に設けられた端子５５とが接触する。したがって、装着状態では、ストラップアタッチメント１と右コントローラ４とが電気的に接続された状態となる。
【０１４１】
本実施形態においては、装着状態において、ストラップアタッチメント１は、上述の電池の電力を右コントローラ４へ供給する。具体的には、ストラップアタッチメント１は、上記電池の電力を、端子５５を介して右コントローラ４へ供給する給電制御部を備える。端子２６を介してストラップアタッチメント１から供給される電力によって、右コントローラ４のバッテリが充電される。なお、ストラップアタッチメント１は、装着状態において、所定の条件下で右コントローラ４に対する給電を行ってもよい。例えば、ストラップアタッチメント１は、右コントローラ４のバッテリの残量が所定量以下である場合に右コントローラ４に対する給電を行ってもよいし、右コントローラ４からの指示に応じて当該右コントローラ４に対する給電を行ってもよい。
【０１４２】
上記のように、本実施形態においては、ユーザは、右コントローラ４にストラップアタッチメント１を装着することによって右コントローラ４の充電を行うことができる。したがって、ユーザは、例えば、右コントローラ４のバッテリの電力が無くなった場合、右コントローラ４にストラップアタッチメント１を装着することによって、右コントローラ４を継続して使用することができる。
【０１４３】
なお、他の実施形態においては、装着状態において、ストラップアタッチメント１と右コントローラ４との間で、端子を介した通信が行われてもよい。例えば、ストラップアタッチメント１と右コントローラ４との間で、バッテリの残量に関する情報が端子を介して送受信されてもよい。
【０１４４】
以上のように、本実施形態においては、ストラップアタッチメント１は、スライド部として、スライド方向に沿って設けられるレール部材４２を備える。これによれば、ストラップアタッチメント１のレール部材４２に右コントローラ４のスライダ１１を挿入した際に、ストラップアタッチメント１のスライド移動（右コントローラ４のスライド移動とも言える）を容易に行うことができる。
【０１４５】
なお、他の実施形態においては、ストラップアタッチメント１が備えるスライド部は、スライド方向に延びる単一の部材で構成される必要は無く、スライド方向に沿って配置される複数の部材によって構成されてもよい。例えば、ストラップアタッチメント１は、レール部材４２に代えて、レール部材４２と同様の断面形状（具体的には、スライド方向に垂直な断面形状）を有する複数の部材を備えていてもよい。このとき、上記複数の部材は、スライド方向に沿って配置される。このような複数の部材によっても、ストラップアタッチメント１は、右コントローラ４のスライダ１１とスライド可能に係合することが可能である。
【０１４６】
本実施形態においては、レール部材４２は、金属で構成される。これによれば、レール部材の強度を向上することができる。また、レール部材が設けられるハウジング４１自体の強度も向上することができる。なお、本実施形態においては、ハウジング４１は、樹脂で構成される。また、他の実施形態においては、レール部材４２の材質は任意であり、例えば、樹脂（ハウジング４１を構成する樹脂よりも硬い樹脂であってもよい）で構成されてもよい。
【０１４７】
また、他の実施形態においては、ストラップアタッチメント１は、レール部材４２に設けられる弾性部材を備えていてもよい。例えば、弾性部材は、レール部材４２の底面に設けられ、当該底面よりも突出するように設けられる。弾性部材は、任意の弾性材で構成されてよく、例えば、ゴムであってもよいし、金属または樹脂で構成される板バネであってもよい。弾性部材は、装着状態において、右コントローラ４のスライダ１１に当接する。すなわち、弾性部材は、装着状態において、スライダ１１に対して、レール部材４２の底面から離れる方向への力を加える。したがって、弾性部材によって、右コントローラ４とストラップアタッチメント１とのがたつきを低減することができ、右コントローラ４とストラップアタッチメント１とをよりしっかりと接続することができる。また、図示しない振動子によって右コントローラ４が振動する場合には、振動時に生じる音を低減することができる。
【０１４８】
（３−３：係止部に関する構成）
図９に示すように、ストラップアタッチメント１は、係止部４３を備える。詳細は後述するが、係止部４３は、ストラップアタッチメント１が右コントローラ４に装着された装着状態において、挿入方向とは逆の抜去方向へのスライド移動を係止する。係止部４３によって、ストラップアタッチメント１が右コントローラ４から外れる可能性を低減することができる。
【０１４９】
図１４および図１５は、係止部が移動する様子の一例を示す図である。図１４は、係止部を上方から見た斜視図であり、図１５は、図９に示すＢ−Ｂ’断面におけるストラップアタッチメント１の部分断面の一例を模式的に示す図である。なお、図１５においては、説明に関連する構成要素を見やすくする目的で、ハウジング４１の把持部４１ｂといった、説明に関連しない構成要素を省略している。
【０１５０】
図９に示すように、係止部４３は、レール部材４２における上側（すなわち、ｙ軸正方向側）の端部に設けられる。より具体的には、係止部４３は、レール部材４２の上方に設けられる。したがって、本実施形態においては、係止部４３は、装着状態において右コントローラ４のスライダ１１の端部（具体的には、上端）に係止する（詳細は後述する）。これによれば、装着状態において、ストラップアタッチメント１が右コントローラ４から外れることを効果的に抑制することができる。本実施形態においては、係止部４３をレール部材４２よりも上側に配置することによって、係止に関する機構をレール部材４２に設けなくてもよいので、レール部材４２の構成を簡易化することができる。また、係止部４３はストラップアタッチメント１の上端に位置するので、ユーザは、係止部４３に対する操作を容易に行うことができる。
【０１５１】
なお、他の実施形態においては、係止部４３は、レール部材４２における上端以外の位置に設けられてもよい。例えば、係止部４３は、スライド方向においてレール部材４２の中央より上側に設けられてもよい。このとき、右コントローラ４のスライダ１１は、装着状態において係止部４３が係止可能な形状を有する。
【０１５２】
図１４および図１５に示すように、係止部４３は、スライド方向とは異なる方向に移動可能である。本実施形態においては、係止部４３は、スライド方向に実質的に垂直な方向（具体的には、ｘ軸方向）に移動可能であり、係止位置と開放位置との間で移動可能である（図１４および図１５参照）。
【０１５３】
図１４（ａ）および図１５（ａ）に示すように、係止部４３が係止位置に位置する場合、係止部４３は、レール部材４２の上端における挿入口の一部を塞ぐ。ここで、レール部材４２の挿入口とは、レール部材４２の各部５１〜５３の上端によって囲まれる部分（換言すれば、上述の溝部の上端）である。つまり、ストラップアタッチメント１を右コントローラ４に装着する際には、右コントローラ４のスライダ１１が上記挿入口に挿入される。係止位置は、レール部材４２の底面から、対向部５３の方へ（換言すれば、ｘ軸負方向側に）係止部４３が突出した状態となる位置である。
【０１５４】
一方、図１４（ｂ）および図１５（ｂ）に示すように、係止部４３が開放位置に位置する場合、係止部４３は、レール部材４２の上端における挿入口を開放する（換言すれば、挿入口を塞がない）。開放位置は、レール部材４２の底面から係止部４３が突出しない（または、ほぼ突出しない）状態となる位置である。開放位置は、レール部材４２に係合している状態のスライダ１１がスライド移動する場合に、スライダ１１の天面が係止部４３に接触しない位置である。
【０１５５】
上記より、係止位置にある係止部４３は、スライド方向に沿った所定面（すなわち、レール部材４２の底面）から、当該係止部４３が開放位置にある状態よりも突出することによって、装着状態の右コントローラ４に引っ掛かることが可能である。これによって、係止部４３は、右コントローラ４を係止する状態と、係止しない（または、ほとんど係止しない）状態とを取ることが可能である。
【０１５６】
また、本実施形態においては、係止部４３は、スライド方向に対して実質的に垂直な方向に移動可能である。スライダ１１がストラップアタッチメント１に対して上方へ移動しようとする力が加えられたとしても、その力によって係止部４３が係止位置から開放位置へ移動する可能性を低減することができる。これによれば、ストラップアタッチメント１を右コントローラ４から取り外そうとする力が加えられたとしても、右コントローラ４からストラップアタッチメント１が外れる可能性を低減することができる。
【０１５７】
本実施形態においては、係止部４３は、開放位置から係止位置への方向に付勢される。具体的には、図１５に示すように、ストラップアタッチメント１は、係止部４３を付勢する付勢部材として、バネ６１を備える。係止部４３は、バネ６１によって付勢されるので、通常の状態（すなわち、ユーザ等によって力が加えられていない状態）においては、係止位置に位置する。これによれば、装着状態において、係止部４３は、（例えば、ユーザが係止部４３を押さえていなくても）右コントローラ４を係止する状態を維持することができる。
【０１５８】
なお、係止部４３を付勢するための機構は、任意であり、他の実施形態においては、図１５に示す機構以外の機構が用いられてもよい。また、他の実施形態においては、ストラップアタッチメント１は、解除ボタンを備えていてもよい。解除ボタンは、係止部４３と連動して移動するように構成され、具体的には、解除ボタンが押下されることに応じて係止部４３が開放位置に移動するように構成される。これによれば、ユーザは、解除ボタンを押下することによって、係止部４３を係止位置から開放位置へ移動させることができる。ユーザは、係止部４３自体を操作しなくても、解除ボタンによって係止部４３を移動させることができるので、ユーザの利便性を向上することができる。
【０１５９】
図１４および図１５に示すように、係止部４３は、レール部材４２の底面に対して傾斜する斜面４３ａを有する。斜面４３ａは、係止部４３における上側（すなわち、ｙ軸正方向側）の端部において、上側に向かうにつれて係止位置から開放位置への方向に傾斜する面である。これによれば、ユーザは、斜面４３ａを開放位置の側（または下側）へ押すように力を加えることによって、係止部４３を開放位置へと容易に移動させることができる。また、本実施形態においては、装着状態において、係止部４３の横（すなわち、ｘ軸負方向側）には右コントローラ４がある。これに関して、係止部４３が斜面４３ａを有することによって、ユーザは、係止部４３と右コントローラ４との間に指を入れやすくなり、係止部４３を操作しやすくすることができる。
【０１６０】
なお、本実施形態においては、係止部４３の斜面４３ａには凹部４３ｂが形成される。これによって、ユーザは、凹部４３ｂに指や爪を引っ掛けることができるので、係止部４３をより操作しやすくなる。また、凹部４３ｂによって、レール部材４２に対して右コントローラ４のスライダ１１をスライド移動させる際に、スライダ１１に設けられる第２Ｌボタン２１および第２Ｒボタン２２が係止部４３に接触しにくくなる。これによって、レール部材４２に対してスライダ１１をよりスムーズにスライド移動させることができる。
【０１６１】
なお、他の実施形態においては、ストラップアタッチメント１は係止部４３を備えていない構成であってもよい。このとき、装着状態において、右コントローラ４の突起部２７がストラップアタッチメント１のレール部材４２に係止される。なお、ストラップアタッチメント１は係止部４３を備えていない場合、把持部４１ｂは、解除ボタン当接面４１ｂを有さずに、装着状態において右コントローラ２８に接触しないように設けられてもよい。これによれば、装着状態において解除ボタン２８が押下されないので、突起部２７はよりしっかりとレール部材４２に係止することができる。なお、このとき、把持部４１ｂは、装着状態においてユーザが解除ボタン２８を押下することが可能な形状に構成される。
【０１６２】
（装着動作）
図１６は、ストラップアタッチメントが右コントローラに装着される際における動作の一例を模式的に示す図である。以下、図１６を参照して、右コントローラ４に対してストラップアタッチメント１が装着される際の動作を説明する。
【０１６３】
図１６（ａ）は、ストラップアタッチメント１のレール部材４２に、右コントローラ４のスライダ１１が挿入される前の状態を示す。ストラップアタッチメント１を右コントローラ４に装着する際には、図１６に示すように、ユーザは、スライダ１１の下端をレール部材４２の上端の挿入口に挿入する。
【０１６４】
図１６（ｂ）は、レール部材４２の挿入口にスライダ１１が挿入された時の状態を示す。ここで、図１６（ａ）に示す状態では、係止部４３が係止位置にあるので、ユーザは、スライダ１１を挿入口に挿入するために、係止部４３を開放位置へ移動させる。ユーザは、係止部４３を指で開放位置に移動させてもよいし、スライダ１１を係止部４３に当接させることによって、係止部４３を開放位置に移動させてもよい。本実施形態においては、係止部４３は斜面４３ａを有するので、ユーザは、スライダ１１を係止部４３に当接させた状態でスライダ１１を下方に移動させることによって、係止部４３を開放位置へとスムーズに移動させることができる。
【０１６５】
スライダ１１がレール部材４２に挿入された後は、ユーザは、スライダ１１をレール部材４２の奥（図１６では、下方）へ移動させることによって、右コントローラ４とストラップアタッチメント１とを装着状態にする。図１６（ｃ）は、装着状態を示す。装着状態においては、係止部４３にスライダ１１が当接しないので、係止部４３はバネ６１によって係止位置に戻る。このとき、係止部４３は、挿入口（の少なくとも一部）を塞ぐ状態となり、スライダ１１の上端に引っ掛かる。これによって、係止部４３は、装着状態において右コントローラ４の抜去方向への移動を係止することができる。
【０１６６】
（取り外し動作）
図１７は、ストラップアタッチメントが右コントローラから取り外される際における動作の一例を模式的に示す図である。以下、図１７を参照して、右コントローラ４に対してストラップアタッチメント１が取り外される際の動作を説明する。
【０１６７】
図１７（ａ）は、上記装着状態を示す。装着状態においてストラップアタッチメント１を右コントローラ４から取り外す際、ユーザは、係止部４３を開放位置へ移動させる。
【０１６８】
図１７（ｂ）は、係止部４３が開放位置へ移動された状態を示す。係止部４３が開放位置へ移動した状態では、係止部４３はレール部材４２の挿入口を開放している。このとき、図１４（ｂ）に示されるように、スライダ１１の上端は挿入口から露出しており、係止部４３による係止（換言すれば、ロック）が解除されている。上記の状態では、スライダ１１はレール部材４２に対して上方へ移動することが可能であるので、ユーザは、ストラップアタッチメント１に対して右コントローラ４を上方に移動させることによって、右コントローラ４からストラップアタッチメント１を取り外すことができる。
【０１６９】
図１７（ｃ）は、レール部材４２に対してスライダ１１を上方に移動させた状態を示す。図１７（ｃ）は、右コントローラ４からストラップアタッチメント１を取り外す途中の状態である。この状態から、レール部材４２に対してスライダ１１をさらに上方に移動させることによって、右コントローラ４からストラップアタッチメント１を取り外すことができる。なお、上記の状態においては、係止部４３はスライダ１１に接触しているので、係止位置に戻ることはない。そのため、ユーザは、係止部４３から手を離して取り外し動作を行うことができる。右コントローラ４からストラップアタッチメント１が取り外された後は、係止部４３は係止位置に戻る。
【０１７０】
なお、上述したように、本実施形態においては、装着状態において、右コントローラ４の解除ボタン２８が解除ボタン当接面４１ｅによって押下されるので、右コントローラ４の突起部２７は、ストラップアタッチメント１のレール部材４２には（ほとんど）係止しない。したがって、ユーザは、解除ボタン２８を押さずに取り外し動作を行うことができる。
【０１７１】
（３−４：ストラップに関する構成）
図１８は、ストラップを含むストラップアタッチメントの一例の全体を示す図である。図１８に示すように、ストラップアタッチメント１は、ストラップ６５を備える。ストラップ６５は、紐あるいはロープ等の紐状部材であり、環状形状を有する。上述のように、ストラップ６５は、ストラップ付きコントローラ装置をユーザが把持する時に、ストラップ６５を手首に通すために用いられる。
【０１７２】
本実施形態においては、ストラップ６５は、ハウジング４１に対して固定的に取り付けられる。具体的には、ハウジング４１の内部（具体的には、ハウジング４１の下側部分）には、軸部が設けられる。また、図１８に示すように、ハウジング４１（具体的には把持部４１ｂ）には、孔４１ｈが設けられる。ストラップ６５は、上記軸部にストラップ６５を通した状態で、孔４１ｈからハウジング４１の外側に延びるように設けられる。これによって、本実施形態においては、ストラップ６５をハウジング４１に対して固定的に取り付けることができる。本実施形態によれば、ストラップ６５をハウジング４１に対して強固に取り付けることができる。
【０１７３】
なお、他の実施形態においては、ストラップアタッチメント１は、ストラップを着脱可能に取り付けることが可能な構成であってもよい。すなわち、ストラップアタッチメント１は、ストラップに代えて（または、ストラップと共に）、ストラップを取り付けるためのストラップ取り付け部を備えていてもよい。例えば、ストラップ取り付け部は、ハウジング４１（より具体的には、ハウジング４１の中央より下側の部分）に設けられ、孔を有する構成であってもよい。このとき、この孔にストラップを通すことでストラップが取り付けられてもよい。なお、本実施形態においては、ストラップ６５は、上記軸部に取り付けられるので、上記軸部がストラップ取り付け部に相当する。なお、他の実施形態においては、ストラップ取り付け部の位置は任意であり、ハウジング４１の中央、または、中央より上側の部分に設けられてもよい。
【０１７４】
図１８に示すように、本実施形態においては、ストラップ６５は調整部６６を有する。調整部６６は、ストラップ６５の紐状部材による輪の大きさを調整するための部材である。具体的には、調整部６６は、調整ボタン６６ａを有している。調整部６６の具体的な機構は任意であるが、本実施形態においては、調整ボタン６６ａを押下した状態では、ストラップ６５の紐状部材に対して調整部６６を容易に移動させることができ、調整ボタン６６ａが押下されない状態では、ストラップ６５の紐状部材に対して調整部６６を固定する（換言すれば、移動させにくくする）ことができる。これによって、ユーザは、手首からストラップ６５が外れないように、調整部６６を用いて紐状部材による輪の大きさを調整することができる。
【０１７５】
なお、他の実施形態においては、ストラップは、ハウジング４１に対して２箇所で接続されていてもよい。例えば、ストラップは、ハウジング４１（より特定的には、把持部４１ｂ）の上側の端部（すなわち、ｙ軸正方向側の端部）と、下側の端部（すなわち、ｙ軸負方向側の端部）とに接続されていてもよい。このとき、ユーザは、ストラップとハウジング４１との間に、手、指、または手首を通してストラップ付きコントローラ装置を把持する。これによっても上記実施形態と同様、ストラップによって、ユーザの手とストラップ付きコントローラ装置との距離を一定範囲内に収めることができる。なお、ストラップは、例えばゴム等の伸縮可能な部材であってもよい。
【０１７６】
（３−５：ボタンに関する構成）
図９に示すように、ストラップアタッチメント１は、第１ボタン４６および第２ボタン４７を備える。これらのボタン４６および４７は、ストラップアタッチメント１が右コントローラ４に装着された際に、右コントローラ４の第２Ｌボタン２１および第２Ｒボタン２２を操作するために設けられる。
【０１７７】
図９に示すように、各ボタン４６および４７は、ハウジング４１のボタン配置面から突出するように設けられる。第１ボタン４６は、ボタン配置面において上下方向（すなわち、ｙ軸方向）の中央よりも下側の位置に設けられる。第２ボタン４７は、ボタン配置面において上下方向の中央よりも上側の位置に設けられる。
【０１７８】
各ボタン４６および４７は、上記ボタン配置面から突出する方向に付勢されている。具体的には、第１ボタン４６は、ハウジング４１の内部に設けられるバネによって付勢されており、第２ボタン４７は、ハウジング４１の内部に設けられるバネによって付勢されている。各ボタン４６および４７は、押下されていない状態では、操作面（すなわち、ｘ軸正方向側の面）がボタン配置面から所定の第１距離だけ突出した状態となっている。また、各ボタン４６および４７は、ユーザによって押下されることによって、操作面がボタン配置面から所定の第２距離（第２距離は第１距離よりも短い）となる位置まで押下可能である。
【０１７９】
図９に示すように、第１ボタン４６は、第１突出部４６ａを有する。第１突出部４６ａは、第１ボタン４６の操作面の反対側に突出するように設けられる。第１突出部４６ａは、第１ボタン４６が押下されることに応じて、操作面の反対側の面から突出する方向に移動する、具体的には、第１動作位置（図１９（ａ））から第２動作位置（図１９（ｂ））へと移動することが可能に構成される。また、第２ボタン４７は、第２突出部４７ａを有する。第２突出部４７ａは、第２ボタン４７の操作面の反対側に突出するように設けられる。第２突出部４７ａは、第２ボタン４７が押下されることに応じて、第３動作位置から第４動作位置へと移動することが可能に構成される。各突出部４６ａおよび４７ａは、棒状の部材である（図２０参照）。
【０１８０】
図１０に示すように、レール部材４２には、孔４２ａおよび４２ｂが設けられている。また、図示しないが、ハウジング４１の装着面には、孔４２ａおよび４２ｂに対応する位置に孔が設けられている。第１突出部４６ａは、孔４２ａからレール部材４２の底面に対して突出可能に設けられる。また、第２突出部４７ａは、孔４２ｂからレール部材４２の底面に対して突出可能に設けられる。第１突出部４６ａが底面から突出する位置は、装着状態において、右コントローラ４の第２Ｌボタン２１に実質的に対応する位置である。すなわち、第１突出部４６ａが底面から突出する位置は、装着状態における第２Ｌボタン２１の位置に対向する位置であり、上下方向（すなわち、ｙ軸方向）および前後方向（すなわちｚ軸方向）において、装着状態における第２Ｌボタン２１の位置と同じ位置である。また、第２突出部４７ａについても第１突出部４６ａと同様、第２突出部４７ａが底面から突出する位置は、装着時における右コントローラ４の第２Ｒボタン２２に対応する位置である。
【０１８１】
なお、突出方向に垂直な断面における突出部の断面積（具体的には、ｙｚ平面に平行な断面に関する断面積）は、当該突出部が設けられるボタンの操作面の面積よりも小さい（図１９参照）。これによれば、各突出部４６ａおよび４７ａを通す孔４２ａおよび４２ｂを、ボタン４６および４７の操作面よりも小さくすることができる。換言すれば、レール部材および／またはハウジングに設ける孔４２ａおよび４２ｂを大きくすることなく、各ボタン４６および４７を大きくして操作しやすくすることができる。
【０１８２】
図１９は、ストラップアタッチメントのボタンによってコントローラのボタンが押下される様子の一例を模式的に示す図である。なお、図１９においては、ストラップアタッチメント１に右コントローラ４が装着される状態において、第１ボタン４６が第２Ｌボタン２１を押下する場合を例として説明するが、他の場合（すなわち、第２ボタン４７が右コントローラ４の第２Ｌボタンを押下する場合）も同様である。
【０１８３】
図１９（ａ）は、第１ボタン４６が押下されていない状態（非押下状態）を示している。非押下状態において、第１突出部４６ａは、レール部材４２の底面から少しだけ突出した状態となる。そのため、第１突出部４６ａは、第２Ｌボタン２１を押下していない。また、非押下状態において、第１突出部４６ａは、スライダ１１（具体的には、スライダ１１の天面）に接触しない。なお、他の実施形態においては、非押下状態において、第１突出部４６ａは、レール部材４２の底面から突出せず、ハウジング４１の内部に収納された状態となってもよい。
【０１８４】
一方、図１９（ｂ）は、第１ボタン４６が押下された状態（押下状態）を示している。押下状態では、第１突出部４６ａは、レール部材４２の底面から突出した状態となる。このとき、第１突出部４６ａは、第２Ｌボタン２１を押下する。つまり、ユーザは、装着状態において、第１ボタン４６を押下することによって、第２Ｌボタン２１を押下することができる。
【０１８５】
以上のように、本実施形態においては、ストラップアタッチメント１が右コントローラ４に装着された場合でも、ユーザは、ストラップアタッチメント１に設けられたボタンを押下することによって、（ストラップアタッチメント１によって隠されるボタンである）右コントローラ４の第２Ｌボタン２１および第２Ｒボタン２２を操作することができる。
【０１８６】
なお、上記第１ボタン４６および第２ボタン４７は、ユーザがストラップ付きコントローラ装置を両手で把持する場合において、ユーザの例えば人差し指および／または中指で操作されることが可能である。つまり、ユーザは、ストラップアタッチメント１が装着されていない場合に第２Ｌボタン２１および第２Ｒボタン２２を操作する場合と同じ指で、上記各ボタン４６および４７を操作することができる。
【０１８７】
本実施形態においては、ストラップアタッチメント１のボタン（すなわち、第１ボタン４６および第２ボタン４７）の操作面の面積は、右コントローラ４のボタン（すなわち、第２Ｌボタン２１および第２Ｒボタン２２）の操作面の面積よりも大きい。したがって、本実施形態においては、ストラップアタッチメント１を右コントローラ４に装着してストラップアタッチメント１のボタンを押下する場合の方が、右コントローラ４のボタンを直接押下する場合よりも、ユーザにとってボタン操作が行いやすくなる。すなわち、ストラップアタッチメント１を右コントローラ４に装着することによって、右コントローラ４の操作性を向上することができる。
【０１８８】
なお、本実施形態においては、右コントローラ４のスライダ１１に設けられるペアリングボタン２３については、ストラップアタッチメント１を右コントローラ４に装着した状態において、ユーザが操作できないようになっている。これは、ペアリングボタン２３は、右コントローラ４と本体装置２との無線通信に関する処理を指示するために用いられ、右コントローラ４の操作中（例えば、ゲーム操作中）には用いられないと想定されるためである。なお、他の実施形態においては、ペアリングボタン２３に対応するボタンをストラップアタッチメント１に設け、装着状態においてペアリングボタン２３を操作することができるようにしてもよい。
【０１８９】
図２０は、突出部の一例を示す図である。なお、図２０は、図９に示す第１突出部４６ａを示すが、第２突出部４７ａも第１突出部４６ａと同様の形状を有している。
【０１９０】
図２０（ａ）は、第１突出部４６ａを突出方向から（すなわち、ｘ軸負方向側から）見た図である。図２０（ａ）に示すように、第１突出部４６ａは、突出方向に垂直な断面形状が十字形状である。これによれば、突出部４６ａの体積を抑えつつ強度を維持することができる。なお、他の実施形態においては、第１突出部４６ａは、例えば円筒形状であってもよいし、柱状形状であってもよい。
【０１９１】
また、図２０（ｂ）は、第１突出部４６ａを突出方向に垂直な方向から（すなわち、ｙ軸負方向側から）見た図である。図２０（ｂ）に示すように、第１突出部４６ａの先端は曲面形状（具体的には、中心が突出する曲面形状）を有している。これによれば、第１突出部４６ａが右コントローラ４のボタンを押下する時に、右コントローラ４のボタンが第１突出部４６ａによって傷つけられる可能性を低減することができる。また、もし、第１ボタン４６または第２ボタン４７が押下された状態（つまり、第１突出部４６ａまたは第２突出部４７ａが右コントローラ４のボタンを押下した状態）で、ユーザがストラップアタッチメント１を右コントローラ４から外そうとした場合であっても、各突出部４６ａまたは４７ａがスライダ１１の段差（具体的には、各ボタン２１〜２３の周囲に設けられる段差）に引っ掛かってしまう可能性を低減することができる。
【０１９２】
（３−６：導光に関する構成）
ストラップアタッチメント１は、自身に装着されたコントローラの通知用ＬＥＤによる光をユーザが視認可能にするための構成を備えている。ここで、各コントローラ３および４の通知用ＬＥＤは、コントローラに付された番号を示すように点灯したり、コントローラのバッテリの残量を示すように点灯したりする場合がある。このような場合において、上記の構成によれば、コントローラにストラップアタッチメント１が装着された状態でも、当該コントローラの通知用ＬＥＤによる光をユーザが視認できるようにすることができる。以下、詳細を説明する。
【０１９３】
図９に示すように、レール部材４２の底面（および、ハウジング４１の装着面）には、入射口７１（すなわち、図２１に示す導光部材７２の入射面が設けられる孔）が設けられる。入射口７１の数は、右コントローラ４の通知用ＬＥＤ２５と同数（ここでは４つ）である。各入射口７１は、ストラップアタッチメント１に装着された右コントローラ４の通知用ＬＥＤ２５に対応する位置に設けられる。すなわち、各入射口７１の位置は、装着状態における通知用ＬＥＤ２５の位置に実質的に対向する位置であり、より具体的には、上下方向（すなわち、ｙ軸方向）および前後方向（すなわちｚ軸方向）において、装着状態における通知用ＬＥＤ２５の位置と同じ位置である。
【０１９４】
また、図９に示すように、ハウジング４１には、出射口７３（すなわち、導光部材７２の出射面が設けられる孔）が設けられる。出射口は４つの入射口に対応しており、入射口と同数（ここでは４つ）の出射口が形成される。本実施形態においては、出射口７３は、ハウジング４１のボタン配置面に設けられる（図９参照）。より具体的には、出射口７３は、第１ボタン４６と第２ボタン４７との間に設けられる。なお、他の実施形態においては、出射口７３は、レール部材４２の底面（換言すれば、装着面）とは異なる任意の面に設けられてもよい。例えば、他の実施形態においては、出射口７３は、ハウジング４１の前面または後面に設けられてもよい。
【０１９５】
図２１は、右コントローラの通知用ＬＥＤによる光がストラップアタッチメントの出射口から出射される様子の一例を示す図である。図２１に示すように、ストラップアタッチメント１は、ハウジング４１（より具体的には、取付部４１ａ）の内部に導光部材７２を備える。導光部材７２は、例えば樹脂等で構成される透明部材（具体的には、レンズ）である。導光部材７２は、入射口７１および出射口７３と同数（ここでは、４つ）のレンズを有する。本実施形態においては、導光部材７２は、作成を容易にするべく、４つのレンズが互いに接続されて一体として成型された構成を有する。ただし、他の実施形態においては、各レンズが別体として設けられてもよい。図２１に示すように、導光部材７２の各レンズは、入射面（すなわち、ｘ軸負方向側の面）が各入射口７１の付近にそれぞれ位置し、出射面（すなわち、ｘ軸正方向側の面）が各出射口７３の付近にそれぞれ位置するように配置される。
【０１９６】
なお、本実施形態において、導光部材７２の入射面は、レール部材４２の底面より凹んだ位置（換言すれば、ハウジング４１の中央に近い位置）に設けられる。これによれば、右コントローラ４のスライダ１１をレール部材４２に挿入する際に、導光部材７２が右コントローラ４に接触する可能性を低減することができ、右コントローラ４に対してストラップアタッチメント１をスムーズに装着することができる。
【０１９７】
図２１に示すように、装着状態において、右コントローラ４の通知用ＬＥＤ２５が発光した場合、通知用ＬＥＤ２５からの光は、発光した通知用ＬＥＤ２５に対向する入射口７１を介して、導光部材７２の入射面に入射する。導光部材７２は、入射面に入射した光を、内面反射によって出射面まで導き、出射面から出射する。これによって、出射口７３から光が出射される。
【０１９８】
なお、他の実施形態においては、導光部材７２は、入射口７１に入射した光を、出射口７３まで導くことができる任意の部材であってよい。例えば他の実施形態においては、導光部材は、入射口７１と出射口７３とを繋ぐ孔の壁に設けられた鏡であってもよい。
【０１９９】
以上のように、本実施形態においては、ストラップアタッチメント１は、レール部材４２の底面に設けられる入射口７１に対して入射された光を、当該底面とは異なる他の面（ここでは、ボタン配置面）に設けられる出射口まで導光する導光部（ここでは、導光部材７２）を備える。これによって、右コントローラ４にストラップアタッチメント１が装着された状態でも、装着されていない状態と同様に、当該右コントローラ４の通知用ＬＥＤ２５による光をユーザに提示することができる。また、導光部を設けることによって、（例えば、右コントローラ４から通知用ＬＥＤ２５に関する情報をストラップアタッチメント１が受信し、受信した情報に基づいて自身の通知用ＬＥＤを制御するような態様と比べて）簡易な構成で、ストラップアタッチメント１が装着された右コントローラ４の通知用ＬＥＤ２５によって通知される情報をユーザに提示することができる。
【０２００】
なお、本実施形態においては、出射口７３は、ハウジング４１のボタン配置面に設けられる（図９参照）。これによれば、右コントローラ４に装着されたストラップアタッチメント１の出射口７３の向きが、右コントローラ４の通知用ＬＥＤ２５の向きと同じになるので、出射口７３からの光をユーザに見やすく提示することができる。
【０２０１】
また、本実施形態においては、出射口７３は、ボタン配置面において、第１ボタン４６と第２ボタン４７との間に設けられる（図９参照）。これによれば、ストラップアタッチメント１における２つのボタン４６および４７と出射口７３との位置関係を、右コントローラ４における２つのボタン（すなわち、第２Ｌボタン２１および第２Ｒボタン２２）と通知用ＬＥＤ２５との位置関係と同じにすることができる。これによって、右コントローラ４に対してストラップアタッチメント１を装着する場合としない場合とで同じような操作感覚をユーザに与えることができ、ストラップアタッチメント１を装着した際のコントローラの操作性を向上することができる。また、ユーザが各ボタン４６および４７を操作するときでも、出射口７３からの光がユーザにとって見やすくなる。
【０２０２】
また、本実施形態においては、右コントローラ４の複数の通知用ＬＥＤ２５からの光が、当該複数の通知用ＬＥＤ２５に個別に対応する複数の出射口７３から出射される。したがって、本実施形態によれば、複数の通知用ＬＥＤ２５のうちで発光している通知用ＬＥＤ２５をユーザに把握させることができる。
【０２０３】
なお、他の実施形態においては、ストラップアタッチメント１は、右コントローラ４が有する通知用ＬＥＤ２５が複数である場合であっても、１つの入射口および出射口を備える構成であってもよい。このとき、右コントローラ４の複数の通知用ＬＥＤ２５のうちいずれかが発光した場合に、ストラップアタッチメント１の出射口から光が出射される。これによれば、右コントローラ４の複数の通知用ＬＥＤ２５のうちどれが発光したかを通知することができないものの、いずれかの通知用ＬＥＤ２５が発光していることをユーザに通知することができる。通知用ＬＥＤ２５によってユーザに通知される情報の内容によっては、上記の構成で十分である場合も考えられる。
【０２０４】
なお、他の実施形態においては、並んで配置される複数の入射口（換言すれば、複数の入射面）の間に仕切りが設けられてもよい。これによれば、１つの通知用ＬＥＤによる光が、それに対応する入射口とは異なる入射口にも入射する可能性を低減することができ、発光する通知用ＬＥＤに対応していない出射面から光が出射される可能性を低減することができる。
【０２０５】
［４．本実施形態の作用効果および変形例］
以上に説明した上記実施形態においては、ストラップアタッチメント１は、ゲームコントローラ（例えば、右コントローラ４）に装着可能なアタッチメントである。なお、ゲームコントローラは、コントローラ側第１操作ボタン（例えば、第２Ｌボタン２１または第２Ｒボタン２２）が設けられるコントローラ側スライド部（例えば、スライダ１１）を有する。
ストラップアタッチメント１は、以下の構成を備える。
・ストラップ
・アタッチメントの第１面（例えば、装着面）に設けられ、コントローラ側スライド部に対して所定のスライド方向（例えば、図９に示すｙ軸方向）にスライド可能に係合することが可能であって、当該スライド方向の一方側と他方側とのうちの一方側（例えば、図９に示すｙ軸正方向側）からコントローラ側スライド部を挿入可能なアタッチメント側スライド部（例えば、レール部材４２）
・アタッチメント側スライド部の中央より上記一方側に設けられ、アタッチメント側スライド部にコントローラスライド部が挿入されることによりゲームコントローラがアタッチメントに装着された状態において、当該挿入の方向とは逆の抜去方向へのスライド移動を係止する係止部（例えば、係止部４３）
・第１面の裏側の第２面（例えば、ボタン配置面）から突出可能なアタッチメント側第１操作ボタン（例えば、第１ボタン４６または第２ボタン４７）
また、アタッチメント側第１操作ボタンは、当該アタッチメント側第１操作ボタンに対する押下操作に応じて第１面から突出する方向に移動可能であり、コントローラ側第１操作ボタンを押下可能な第１突出部（例えば、図９に示す第１突出部４６ａまたは第２突出部４７ａ）を有する。
【０２０６】
上記によれば、アタッチメントのスライド部と、ゲームコントローラのスライド部とを係合させることによって、ユーザは、ゲームコントローラに対する（ストラップを備える）アタッチメントの取り外しを容易に行うことができる。つまり、上記によれば、ゲームコントローラに対するストラップの取り外しを容易に行うことができる。
【０２０７】
また、上記「スライド部材」は、上記実施形態におけるレール部材であってもよいし、スライダであってもよい。なお、上記実施形態においては、ストラップアタッチメント１に設けられるスライド部材と、コントローラに設けられるスライド部材とをわかりやすく区別するべく、前者を「レール部材」と呼び、後者を「スライダ」と呼ぶこととした。ここで、レール部材およびスライダの形状は、上記実施形態の形状に限定されない。例えば、図１２に示すような断面形状を有するスライド部材を「スライダ」と言うこともできるし、図９に示すようなＴ字型の断面形状を有するスライド部材を、「レール部材」と言うこともできる。
【０２０８】
なお、上記実施形態においては、スライド部材の一例であるレール部材は、ハウジング４１の装着面に設けられ、底面部と側面部と対向部とを有する構成であった。ここで、他の実施形態においては、ハウジングおよびレール部材（換言すれば、スライド部材）は、次のように構成されてもよい。すなわち、ストラップアタッチメント１は、ハウジングの一部を構成し、開口部を有する部材Ａ（例えば、上記装着面を有していないハウジング）と、底面部と側面部と対向部とを有する部材Ｂ（例えば、上記レール部材４２）とを備えていてもよい。このとき、部材Ｂの底面部は、部材Ａの開口部の少なくとも一部を覆うように部材Ａに接続される。上記の構成においては、部材Ｂの底面部の面が上記「第１面」に相当し、部材Ｂの側面部と対向部とが上記「レール部材」に相当する。このように、レール部材は、底面部を有していない構成であってもよい。また、例えば、ストラップアタッチメント１は、レール部材が（底面部を有さず）側面部と対向部とを有し、ハウジングの装着面に当該側面部が接続される構成を有していてもよい。
【０２０９】
また、上記によれば、アタッチメントが突出部を備えるので、アタッチメントがゲームコントローラに装着された場合でも、ユーザは、アタッチメントに設けられた操作ボタンを押下することによって、ゲームコントローラの操作ボタンを操作することができる。
【０２１０】
また、上記によれば、アタッチメントが係止部を備えるので、アタッチメント側スライド部に挿入されたコントローラ側スライド部が抜去方向へ移動する結果、ゲームコントローラからアタッチメントが外れてしまう可能性を低減することができる。
【０２１１】
なお、上記「（スライド移動の）係止」とは、ある部材と他の部材とが係り合うことによってスライド移動を制限することを意味する。ただし、上記「（スライド移動の）係止」とは、一定よりも小さい力によるスライド移動を妨げることができればよく、一定以上の力が加えられた場合には、（係止が解除される結果、）スライド移動が行われてもよい意味である。
【０２１２】
また、上記実施形態におけるストラップアタッチメント１は、コントローラ側スライド部（例えば、スライダ１１）を有するゲームコントローラ（例えば、右コントローラ４）に取り付け可能なアタッチメントであると言うことができる。ストラップアタッチメント１は、以下の構成を備える。
・アタッチメントの第１面（例えば、装着面）に設けられ、コントローラ側スライド部に対して所定のスライド方向（例えば、図９に示すｙ軸方向）にスライド可能に係合することが可能であって、当該スライド方向の一方側と他方側とのうちの一方側（例えば、図９に示すｙ軸正方向側）からコントローラ側スライド部を挿入可能なアタッチメント側スライド部（例えば、レール部材４２）
・アタッチメント側スライド部の中央より上記一方側に設けられ、アタッチメント側スライド部にコントローラスライド部が挿入されることによりゲームコントローラがアタッチメントに装着された状態において、当該挿入の方向とは逆の抜去方向へのスライド移動を係止する係止部（例えば、係止部４３）
・アタッチメントのうちで、当該アタッチメントの中央よりも、スライド方向の他方側と同じ側の部分にストラップを取り付け可能なストラップ取り付け部（例えば、ハウジング４１の内部に設けられる軸部）
【０２１３】
上記によれば、アタッチメントのスライド部と、ゲームコントローラのスライド部とを係合させることによって、ユーザは、ゲームコントローラに対する（ストラップを備える）アタッチメントの取り外しを容易に行うことができる。ここで、アタッチメントのストラップ取り付け部にストラップを取り付けておけば、ユーザは、ストラップをアタッチメントから取り外さなくても、アタッチメントをコントローラから取り外すことによって、コントローラからストラップを取り外すことができる。つまり、上記によれば、ゲームコントローラに対するストラップの取り外しを容易に行うことができる。
【０２１４】
（ハウジングに関する変形例）
上記実施形態においては、ストラップアタッチメント１のハウジング４１は、装着状態において右コントローラ４の側面および裏面に対向する（換言すれば、側面および裏面を覆う）ものであった。ここで、他の実施形態においては、ストラップアタッチメントのハウジングの形状は任意である。例えば、以下に説明する変形例のように、ストラップアタッチメントのハウジングは、コントローラの所定の一面に対向するように当該コントローラに装着されるものであってもよい。
【０２１５】
図２２は、上記実施形態の変形例に係るストラップアタッチメントの一例を示す図である。図２２において、本変形例に係るストラップアタッチメント８０は、ハウジング８１を備える。ハウジング８１は、上記実施形態におけるハウジング４１の上記取付部４１ａと同等の形状を有している。なお、ハウジング８１は、後面（すなわち、ｚ軸正方向側の面）を有している。また、ハウジング８１は、上記実施形態におけるハウジング４１の取付部４１ａと同様、装着面およびボタン配置面を有する。
【０２１６】
本変形例におけるストラップアタッチメント８０は、把持部４１ｂ（把持部４１ｂに設けられる構成を含む）を有していない点で、上記実施形態におけるストラップアタッチメント１と相違する。上記の点以外は、ストラップアタッチメント８０は、ストラップアタッチメント１と同様である。すなわち、ストラップアタッチメント８０は、レール部材４２、係止部４３、各ボタン４６および４７、ストラップ６５、ならびに、導光部材７２を有する。なお、ストラップアタッチメント８０は、端子５５を有していない構成であってもよい。
【０２１７】
以上の構成より、ストラップアタッチメント８０は、上記実施形態におけるストラップアタッチメント１と同様、右コントローラ４に装着可能である。図２３は、変形例に係るストラップアタッチメントが右コントローラに対して装着された様子の一例を示す図である。
【０２１８】
ここで、上述したように、上記実施形態における右コントローラ４のスライダ１１と、左コントローラ３のスライダとは、同様の構成を有する。したがって、上記実施形態において、ストラップアタッチメント１のレール部材４２は、右コントローラ４のスライダ１１だけでなく、左コントローラ３のスライダに対しても、スライド可能に係合する。ただし、ストラップアタッチメント１は把持部４１ｂを有するので、ストラップアタッチメント１を左コントローラ３に装着しようとすると、例えば左コントローラ３のアナログスティックが把持部４１ｂに接触することから、左コントローラ３にストラップアタッチメント１を装着することは不可能であった。
【０２１９】
これに対して、本変形例におけるストラップアタッチメント８０は、把持部４１ｂに相当する構成を有していないので、右コントローラ４に対してだけでなく、左コントローラ３に対しても装着することが可能である。図２４は、変形例に係るストラップアタッチメントが左コントローラに対して装着された様子の一例を示す図である。なお、図２３および図２４に示すように、ストラップアタッチメント８０を左コントローラ３に装着する場合と右コントローラ４に装着する場合とでは、ストラップアタッチメント８０の向きが反対になる。
【０２２０】
なお、ストラップアタッチメント８０を左コントローラ３および右コントローラ４のいずれに装着する場合でも、ストラップアタッチメント８０は、係止部４３によってコントローラを係止することが可能である。
【０２２１】
また、本変形例においては、レール部材４２は、対向部５３において切欠きＣ１が形成されない（または、ほとんど形成されない）構成であってもよい。本変形例では、ストラップアタッチメント８０は、把持部４１ｂを有しておらず、解除ボタン当接面４１ｅを有していないので、装着状態において右コントローラ４の解除ボタン２８は押下されない。そのため、レール部材４２に切欠きＣ１が形成される場合には、右コントローラ４の突起部２７が切欠きＣ１に係止する。したがって、ストラップアタッチメント８０を右コントローラ４から取り外す場合には、ユーザは、解除ボタン２８を押下する。
【０２２２】
これに対して、レール部材４２に切欠きＣ１が形成されない（または、ほとんど形成されない）場合には、装着状態において突起部２７がレール部材４２に係止しない（または、ほとんど係止しない）ので、ストラップアタッチメント８０を右コントローラ４から取り外す場合に、ユーザは、解除ボタン２８を押下しなくてもよい。このように、切欠きＣ１が形成されないレール部材４２を用いることによって、ユーザは、取り外しをより容易に行うことができる。
【０２２３】
また、本変形例においては、装着面とボタン配置面との間に設けられる２つの面（すなわち、前面および後面。換言すれば、ｚ軸負方向側の面と、ｚ軸正方向側の面）には、それぞれ異なるマークが付される。具体的には、図２３に示すように、ハウジング８１の前面には、「＋」を表すプラスマーク８２が付され、ハウジング８１の後面には、「−」を表すマイナスマーク８３が付される。
【０２２４】
これらのマーク８２および８３は、２種類のコントローラ３および４に装着する場合におけるストラップアタッチメント８０の向きをユーザに認識させる目的で付されている。すなわち、「＋」の形状を有するボタン１７を主面に有する右コントローラ４に対してストラップアタッチメント８０を装着する場合には、プラスマーク８２が付されたハウジング８１の前面が右コントローラ４の主面と同じ向きとなるようにすることを、プラスマーク８２によってユーザに認識させる（図２３参照）。また、「−」の形状を有するボタンを主面に有する左コントローラ３に対してストラップアタッチメント８０を装着する場合には、マイナスマーク８３が付されたハウジング８１の後面が左コントローラ３の主面と同じ向きとなるようにすることを、マイナスマーク８３によってユーザに認識させる（図２４参照）。これによって、コントローラ３または４に対してストラップアタッチメント８０を装着する場合におけるストラップアタッチメント８０の向きを、わかりやすくユーザに提示することができる。
【０２２５】
なお、他の実施形態においては、上記マーク８２および８３と共に（または代えて）他の提示方法が用いられてもよい。例えば、他の実施形態においては、ハウジング８１の前面側と後面側とで外観（例えば、色、模様、または、質感（具体的には、光沢の有無））を異ならせるようにしてもよい。このとき、左コントローラ３の主面の外観とハウジング８１の前面の外観とを同じにしたり（または類似させる）、右コントローラ４の主面の外観とハウジング８１の後面の外観とを同じにしたり（または類似させる）するようにしてもよい。
【０２２６】
（係止部に関する変形例）
図２５は、本実施形態の変形例に係る係止部の一例を示す図である。図２５に示すように、他の実施形態においては、係止部４３は、その上端部分（すなわち、ｙ軸正方向側の端部）に突起４３ａを有していてもよい。これによれば、ユーザは、係止部４３を操作する際、突起４３ａに指や爪を引っ掛けることができるので、係止部４３をより操作しやすくなる。なお、突起４３ａは、例えば、前後方向（すなわち、ｚ軸方向）に延びるように設けられる。これによって、ユーザは、突起４３ａに指や爪を引っ掛けやすくなる。
【０２２７】
以上に説明した上記実施形態においては、ストラップアタッチメント１は、コントローラ側スライド部を有するゲームコントローラに取り付け可能なアタッチメントである。ストラップアタッチメント１は、以下の構成を備える。
・前記アタッチメントの第１面に設けられ、前記コントローラ側スライド部に対して所定のスライド方向にスライド可能に係合することが可能であって、当該スライド方向の一方側と他方側とのうちの一方側から前記コントローラ側スライド部を挿入可能なアタッチメント側スライド部
・前記アタッチメント側スライド部の中央より前記一方側に設けられ、前記アタッチメント側スライド部に前記コントローラ側スライド部が挿入されることにより前記ゲームコントローラが前記アタッチメントに装着された状態において、当該挿入の方向とは逆の抜去方向へのスライド移動を係止する係止部
・前記アタッチメント側スライド部において中央よりも前記他方側に、前記第１面を向く面が露出するように設けられ、前記アタッチメントが装着された前記ゲームコントローラの端子と電気的に接続される端子部（例えば、端子５５）
・前記端子を介して前記ゲームコントローラへ電力を供給するための電池。
上記の構成によれば、アタッチメントのスライド部と、ゲームコントローラのスライド部とを係合させることによって、ユーザは、ゲームコントローラに対する（電池を備える）アタッチメントの取り外しを容易に行うことができる。上記の構成を有するアタッチメントは、ストラップ（またはストラップ取り付け部）を備えていてもよいし、備えていなくてもよい。
【産業上の利用可能性】
【０２２８】
以上のように、上記実施形態は、ストラップの取り外しを容易にすること等を目的として、例えば、ゲームコントローラに装着可能なアタッチメントとして利用することができる。
【符号の説明】
【０２２９】
１  ストラップアタッチメント
２  本体装置
３  左コントローラ
４  右コントローラ
５  ゲーム装置
１１  スライダ
２１  第２Ｌボタン
２２  第２Ｒボタン
２７  突起部
４１  ハウジング
４２  レール部材
４３  係止部
４４  弾性部材
４６  第１ボタン
４７  第２ボタン
６５  ストラップ
７２  導光部材
【図１】
2018099520.tif 000003
【図２】
2018099520.tif 000004
【図３】
2018099520.tif 000005
【図４】
2018099520.tif 000006
【図５】
2018099520.tif 000007
【図６】
2018099520.tif 000008
【図７】
2018099520.tif 000009
【図８】
2018099520.tif 000010
【図９】
2018099520.tif 000011
【図１０】
2018099520.tif 000012
【図１１】
2018099520.tif 000013
【図１２】
2018099520.tif 000014
【図１３】
2018099520.tif 000015
【図１４】
2018099520.tif 000016
【図１５】
2018099520.tif 000017
【図１６】
2018099520.tif 000018
【図１７】
2018099520.tif 000019
【図１８】
2018099520.tif 000020
【図１９】
2018099520.tif 000021
【図２０】
2018099520.tif 000022
【図２１】
2018099520.tif 000023
【図２２】
2018099520.tif 000024
【図２３】
2018099520.tif 000025
【図２４】
2018099520.tif 000026
【図２５】
2018099520.tif 000027